(57)【要約】  キャリアアグリゲーションのアクティブ化遅延へのＳＲＳ切替の影響を制御することを可能にする方法およびそれに関するノードが開示される。  いくつかの態様では、方法はキャリアアグリゲーション（ＣＡ）アクティブ化手順を実行する必要性を判定することと、サウンディング参照信号（ＳＲＳ）切替手順を実行する必要性を判定することと、ＵＥがＳＲＳ切替手順を実行することを可能にするためにＣＡアクティブ化手順に関連付けれられた遅延を延長することと、当該延長した遅延内にＣＡアクティブ化手順を実行することと、を含む。
2019537361.tif 000002
【特許請求の範囲】
【請求項１】
ユーザ装置（ＵＥ）の方法であって、
キャリアアグリゲーション（ＣＡ）アクティブ化手順を実行する必要性を判定することと、
サウンディング参照信号（ＳＲＳ）切替手順を実行する必要性を判定することと、
前記ＵＥに前記ＳＲＳ切替手順の実行を許可するために、前記ＣＡアクティブ化手順に関連付けられた遅延を延長することと、
前記延長した遅延内に前記ＣＡアクティブ化手順を実行することと、
を含むことを特徴とする方法。
【請求項２】
請求項１に記載の方法であって、ＣＡアクティブ化手順を実行する必要性を判定することは、無線ネットワークノードから、前記キャリアアグリゲーション（ＣＡ）アクティブ化手順を実行する命令を含むメッセージを受信することを含むことを特徴とする方法。
【請求項３】
請求項２に記載の方法であって、前記ＣＡアクティブ化手順はセカンダリセル（ＳＣｅｌｌ）のアクティブ化またはＳＣｅｌｌの非アクティブ化であることを特徴とする方法。
【請求項４】
請求項３に記載の方法であって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とする方法。
【請求項５】
請求項３に記載の方法であって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とする方法。
【請求項６】
請求項３または４に記載の方法であって、前記ＣＡアクティブ化手順がＳＣｅｌｌのアクティブ化である場合、前記延長した遅延内で前記ＣＡアクティブ化手順を実行することは、前記ＳＣｅｌｌをアクティブ化することと、チャネル状態情報（ＣＳＩ）レポートを前記無線ネットワークノードまたは他の無線ネットワークノードに送信することとを含むことを特徴とする方法。
【請求項７】
請求項３または５に記載の方法であって、前記ＣＡアクティブ化手順がＳＣｅｌｌの非アクティブ化である場合、前記延長した遅延内で前記ＣＡアクティブ化手順を実行することは、前記ＳＣｅｌｌを非アクティブ化することを含むことを特徴とする方法。
【請求項８】
請求項２に記載の方法であって、前記ＣＡアクティブ化手順はプライマリセカンダリセル（ＰＳＣｅｌｌ）の追加またはＰＳＣｅｌｌの解放であることを特徴とする方法。
【請求項９】
請求項８に記載の方法であって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とする方法。
【請求項１０】
請求項８に記載の方法であって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とする方法。
【請求項１１】
請求項８または９に記載の方法であって、前記ＣＡアクティブ化手順がＰＳＣｅｌｌの追加である場合、前記延長した遅延内で前記ＣＡアクティブ化手順を実行することは、前記ＰＳＣｅｌｌを設定することを含むことを特徴とする方法。
【請求項１２】
請求項８または１０に記載の方法であって、前記ＣＡアクティブ化手順がＰＳＣｅｌｌの解放である場合、前記延長した遅延内で前記ＣＡアクティブ化手順を実行することは、前記ＰＳＣｅｌｌを解放することを含むことを特徴とする方法。
【請求項１３】
請求項２から１２のいずれか１項に記載の方法であって、ＳＲＳ切替手順を実行する必要性を判定することは、前記無線ネットワークノードからまたは他の無線ネットワークノードからＳＲＳ要求メッセージを受信することを含むことを特徴とする方法。
【請求項１４】
ユーザ装置（ＵＥ）であって、
キャリアアグリゲーション（ＣＡ）アクティブ化手順を実行する必要性を判定し、
サウンディング参照信号（ＳＲＳ）切替手順を実行する必要性を判定し、
前記ＵＥに前記ＳＲＳ切替手順の実行を許可するために、前記ＣＡアクティブ化手順に関連付けられた遅延を延長し、
前記延長した遅延内に前記ＣＡアクティブ化手順を実行する、
よう動作可能であることを特徴とするＵＥ。
【請求項１５】
請求項１４に記載のＵＥであって、ＣＡアクティブ化手順を実行する必要性を判定する場合に、前記ＵＥは無線ネットワークノードから、前記キャリアアグリゲーション（ＣＡ）アクティブ化手順を実行する命令を含むメッセージを受信するよう動作可能であることを特徴とするＵＥ。
【請求項１６】
請求項１５に記載のＵＥであって、前記ＣＡアクティブ化手順はセカンダリセル（ＳＣｅｌｌ）のアクティブ化またはＳＣｅｌｌの非アクティブ化であることを特徴とするＵＥ。
【請求項１７】
請求項１６に記載のＵＥであって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とするＵＥ。
【請求項１８】
請求項１６に記載のＵＥであって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とするＵＥ。
【請求項１９】
請求項１６または１７に記載のＵＥであって、前記延長した遅延内で前記ＣＡアクティブ化手順を実行する場合、前記ＵＥは前記ＳＣｅｌｌをアクティブ化し、チャネル状態情報（ＣＳＩ）レポートを前記無線ネットワークノードまたは他の無線ネットワークノードに送信するように動作可能であることを特徴とするＵＥ。
【請求項２０】
請求項１６または１８に記載のＵＥであって、前記延長した遅延内で前記ＣＡアクティブ化手順を実行する場合、前記ＵＥは前記ＳＣｅｌｌを非アクティブ化するよう動作可能であることを特徴とするＵＥ。
【請求項２１】
請求項１５に記載のＵＥであって、前記ＣＡアクティブ化手順はプライマリセカンダリセル（ＰＳＣｅｌｌ）の追加またはＰＳＣｅｌｌの解放であることを特徴とするＵＥ。
【請求項２２】
請求項２１に記載のＵＥであって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするＵＥ。
【請求項２３】
請求項２１に記載のＵＥであって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするＵＥ。
【請求項２４】
請求項２１または２２に記載のＵＥであって、前記延長した遅延内で前記ＣＡアクティブ化手順を実行する場合、前記ＵＥは前記ＰＳＣｅｌｌを設定するよう動作可能であることを特徴とするＵＥ。
【請求項２５】
請求項２１または２３に記載のＵＥであって、前記延長した遅延内で前記ＣＡアクティブ化手順を実行する場合、前記ＵＥは前記ＰＳＣｅｌｌを解放するよう動作可能であることを特徴とするＵＥ。
【請求項２６】
請求項１５から２５のいずれか１項に記載のＵＥであって、ＳＲＳ切替手順を実行する必要性を判定する場合、前記ＵＥは前記無線ネットワークノードからまたは他の無線ネットワークノードからＳＲＳ要求メッセージを受信するよう動作可能であることを特徴とするＵＥ。
【請求項２７】
媒体に組込まれたコンピュータ可読プログラムコードを有する非一時的コンピュータ可読記憶媒体を備えるコンピュータプログラム製品であって、前記コンピュータ可読プログラムコードは、
ＵＥがキャリアアグリゲーション（ＣＡ）アクティブ化手順を実行する必要性を判定するためのコンピュータ可読プログラムコードと、
ＵＥがサウンディング参照信号（ＳＲＳ）切替手順を実行する必要性を判定するためのコンピュータ可読プログラムコードと、
前記ＵＥに前記ＳＲＳ切替手順の実行を許可するために、前記ＣＡアクティブ化手順に関連付けられた遅延を延長するためのコンピュータ可読プログラムコードと、
前記延長した遅延内に前記ＣＡアクティブ化手順を実行するためのコンピュータ可読プログラムコードと、
を含むことを特徴とするコンピュータプログラム製品。
【請求項２８】
請求項２７に記載のコンピュータプログラム製品であって、キャリアアグリゲーション（ＣＡ）アクティブ化手順を実行する必要性を判定するための前記コンピュータ可読プログラムコードは、無線ネットワークノードから、前記キャリアアグリゲーション（ＣＡ）アクティブ化手順を実行する命令を含むメッセージを受信するためのコンピュータ可読プログラムコードを含むことを特徴とするコンピュータプログラム製品。
【請求項２９】
請求項２８に記載のコンピュータプログラム製品であって、前記ＣＡアクティブ化手順はセカンダリセル（ＳＣｅｌｌ）のアクティブ化またはＳＣｅｌｌの非アクティブ化であることを特徴とするコンピュータプログラム製品。
【請求項３０】
請求項２９に記載のコンピュータプログラム製品であって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とするコンピュータプログラム製品。
【請求項３１】
請求項２９に記載のコンピュータプログラム製品であって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とするコンピュータプログラム製品。
【請求項３２】
請求項２９または３０に記載のコンピュータプログラム製品であって、前記延長した遅延内で前記ＣＡアクティブ化手順を実行するためのコンピュータ可読プログラムコードは、前記ＳＣｅｌｌをアクティブ化し、チャネル状態情報（ＣＳＩ）レポートを前記無線ネットワークノードまたは他の無線ネットワークノードに送信するためのコンピュータ可読プログラムコードを含むことを特徴とするコンピュータプログラム製品。
【請求項３３】
請求項２９または３１に記載のコンピュータプログラム製品であって、前記延長した遅延内で前記ＣＡアクティブ化手順を実行するためのコンピュータ可読プログラムコードは、前記ＳＣｅｌｌを非アクティブ化するためのコンピュータ可読プログラムコードを含むことを特徴とするコンピュータプログラム製品。
【請求項３４】
請求項２８に記載のコンピュータプログラム製品であって、前記ＣＡアクティブ化手順はプライマリセカンダリセル（ＰＳＣｅｌｌ）の追加またはＰＳＣｅｌｌの解放であることを特徴とするコンピュータプログラム製品。
【請求項３５】
請求項３４に記載のコンピュータプログラム製品であって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするコンピュータプログラム製品。
【請求項３６】
請求項３４に記載のコンピュータプログラム製品であって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするコンピュータプログラム製品。
【請求項３７】
請求項３４または３５に記載のコンピュータプログラム製品であって、前記延長した遅延内で前記ＣＡアクティブ化手順を実行するためのコンピュータ可読プログラムコードは、前記ＰＳＣｅｌｌを設定するためのコンピュータ可読プログラムコードを含むことを特徴とするコンピュータプログラム製品。
【請求項３８】
請求項３４または３６に記載のコンピュータプログラム製品であって、前記延長した遅延内で前記ＣＡアクティブ化手順を実行するためのコンピュータ可読プログラムコードは、前記ＰＳＣｅｌｌを解放するためのコンピュータ可読プログラムコードを含むことを特徴とするコンピュータプログラム製品。
【請求項３９】
請求項２８から３８のいずれか１項に記載のコンピュータプログラム製品であって、ＳＲＳ切替手順を実行する必要性を判定するためのコンピュータ可読プログラムコードは、前記無線ネットワークノードからまたは他の無線ネットワークノードからＳＲＳ要求メッセージを受信するためのコンピュータ可読プログラムコードを含むことを特徴とするコンピュータプログラム製品。
【発明の詳細な説明】
【技術分野】
【０００１】
［関連出願］
本出願は２０１６年１１月４日に米国特許商標庁に提出された「キャリアアグリゲーションのアクティブ化に関する遅延へのＳＲＳ切替の影響の制御」という米国仮特許出願第６２／４１７，４５２の優先権の利益を主張するものであり、参照によってその内容が本明細書に組み込まれる。
【０００２】
［技術分野］
本開示は無線通信および無線通信ネットワークに関連し、より具体的にはキャリアアグリゲーションをサポートする無線通信ネットワークにおける参照信号および参照信号のシグナリングに関連する。
【背景技術】
【０００３】
＜サウンディング参照信号＞
【０００４】
サウンディング参照信号（ＳＲＳ）は例えば、基地局（例えばｅＮＢ）が異なるアップリンクチャネルの特性を推定することを可能にするためにユーザ装置（ＵＥ）によって送信される既知信号である。これらの推定は、アップリンクスケジューリングおよびリンク適応のために使用されてもよいが、特にアップリンクおよびダウンリンクが同一周波数を使用するＴＤＤの場合のダウンリンクの複数アンテナ送信のためにも使用されてもよい。ＳＲＳは図１に示され、一般的に１つのＯＦＤＭシンボルの持続時間を有する。
【０００５】
ＳＲＳは１ｍｓアップリンクサブフレームの最後のシンボルで送信されることができ、ＴＤＤの場合には、ＳＲＳはスペシャルスロットＵｐＰＴＳで送信されうる。ＵｐＰＴＳの長さは１または２シンボルであるように設定されてもよい。図２において、一例は、３つのダウンリンク（ＤＬ）サブフレームおよび２つのアップリンク（ＵＬ）サブフレームを有するＴＤＤについて与えられる。一般的に、１０ｍｓの無線フレーム以内に、最大８つのシンボルをサウンディング参照信号（ＳＲＳ）のために確保されてもよい。
【０００６】
ＳＲＳ帯域幅、ＳＲＳ周波数領域の位置、ＳＲＳホッピングパターン、およびＳＲＳサブフレーム設定のようなＳＲＳシンボルの設定は、ＲＲＣ情報エレメントの一部として準静的に設定される。
【０００７】
ＬＴＥ  ＵＬにおいて２つのタイプのＳＲＳ送信、（１）周期的なＳＲＳ送信および（２）非周期的なＳＲＳ送信、が存在する。周期的なＳＲＳは、ＲＲＣシグナリングによって設定されるように規則的な時間インスタンスにおいて送信される。非周期的なＳＲＳはＰＤＣＣＨにおけるシグナリングによってトリガされる１回限りの送信である。
【０００８】
ＳＲＳに関連する２つの異なる設定：
セル固有のＳＲＳ設定、および
ＵＥ固有の設定、が存在する。
【０００９】
セル固有の設定は図２に示すようなセル内で、ＳＲＳ送信のためにどのサブフレームが使用されうるかを指示する。ＵＥ固有の設定は、（セル内のＳＲＳ送信のために予約されたサブフレーム間の）サブフレームのパターンおよび特定のＵＥのＳＲＳ送信のために使用される周波数領域リソースをＵＥに指示する。また、周波数領域のくし（コム）および巡回シフトのような、信号を送信するときにＵＥが使用可能な他のパラメータも含む。
【００１０】
これは、異なるＵＥからのサウンディング参照信号は、２つのＵＥのＳＲＳは異なるサブフレームにおいて送信されるように、ＵＥ固有の設定を使用することで時間領域で多重化されうることを意味する。さらに、同一シンボル内で、サウンディング参照信号は周波数領域で多重化されうる。サブキャリアのセットは、それぞれのセット内に偶数および奇数サブキャリアがそれぞれ含まれるように、２つのセットのサブキャリアまたはコムに分割されうる。付加的に、ＵＥは追加のＦＤＭを得るための異なる帯域幅を有してもよい（コムは、異なる帯域幅および重複を有する信号の周波数領域多重またはＦＤＭを可能にする）。付加的に、符号分割多重を使用することができる。このような場合、異なるユーザは、基礎的なの基本シーケンスの異なるシフトを使用することによって、全く同じ時間および周波数領域リソースを使用可能である。
【００１１】
＜ＳＲＳキャリアベースの切替＞
【００１２】
ＬＴＥネットワークにおいて、多くの種類のダウンリンクの大量のトラフィックがあり、それは典型的には（集約された）アップリンクコンポーネントキャリア（ＣＣ）の数よりも多数の集約されたダウンリンクＣＣをもたらす。既存のＵＥのカテゴリに対して、典型的なキャリアアグリゲーション（ＣＡ）が可能なＵＥは、ダウンリンクにおいて５つのＣＣが集約される一方、１または２つのアップリンクＣＣのみをサポートする。
【００１３】
ＵＥのためのＤＬ送信を有するＴＤＤキャリアのいくつかは、ＳＲＳを含むＵＬ送信を有さず、チャネル相互性がこれらのキャリアに対して使用できない。そのような状況は、ＣＣの大部分がＴＤＤである３２個までのＣＣのＣＡ拡張でより深刻になってもよい。ＴＤＤ  ＵＬキャリアへのおよびＴＤＤ  ＵＬ間の高速キャリア切替を可能にすることは、これらのＴＤＤキャリア上でのＳＲＳ送信を可能にするための解決策であってもよい。
【００１４】
ＳＲＳベースのキャリア切替は、ＴＤＤコンポーネントキャリアへの、そしてＴＤＤコンポーネントキャリア間のＳＲＳ切替をサポートすることを目的とし、ＳＲＳ送信のために利用可能なコンポーネントキャリアは、ＰＤＳＣＨのキャリアアグリゲーションに利用可能なコンポーネントキャリアに対応し、一方でＵＥはＰＵＳＣＨのキャリアアグリゲーションに利用可能なより少ないコンポーネントキャリアを有する。
【００１５】
ＳＲＳベースのキャリア切替は、所定の時間リソースの間にＵＥが１つのキャリア（例えばＦ１）では如何なる信号も送信せず、他キャリア（例えばＦ２）ではＳＲＳを送信することを単純に意味する。例えば、Ｆ１およびＦ２はそれぞれＰＣｅｌｌおよびＳＣｅｌｌであってもよく、それらの両方がＳＣｅｌｌであってもよい。
【００１６】
＜ＬＴＥにおけるＣＡに関連する中断＞
【００１７】
現在のＣＡに関連する中断の要件は３６．１３３  ｖ１３．３．０に、例えば以下のように規定される。
【００１８】
＝＝＝＝＝＝＜＜＜＜＜＜  ＴＳ  ３６．１３３  ＞＞＞＞＞  ＝＝＝＝＝＝
【００１９】
７．８．２．３  バンド内ＣＡのためのＳＣｅｌｌアクティブ化／非アクティブ化における中断
【００２０】
バンド内ＳＣｅｌｌが［２］で定義されるようにアクティブ化または非アクティブ化される場合、節７．７で定義されるアクティブ化／非アクティブ化遅延の間、ＵＥはＰＣｅｌｌの最大５サブフレームの中断が許可される。この中断はＰＣｅｌｌのアップリンクおよびダウンリンクの両方に対するものである。
【００２１】
７．８．２．４  バンド間ＣＡのためのＳＣｅｌｌアクティブ化／非アクティブ化における中断
【００２２】
バンド間ＳＣｅｌｌが［２］で定義されるようにアクティブ化または非アクティブ化される場合、節７．７で定義されるアクティブ化／非アクティブ化遅延の間、中断を要求するＵＥはＰＣｅｌｌの最大１サブフレームの中断が許可される。この中断はＰＣｅｌｌのアップリンクおよびダウンリンクの両方に対するものである。
【００２３】
＝＝＝＝＝＝＜＜＜＜＜＜  ＴＳ  ３６．１３３  ＞＞＞＞＞  ＝＝＝＝＝＝
【００２４】
ＳＲＳ切替に起因して同様の中断が発生しうる。
【００２５】
＜ＬＴＥにおけるマルチキャリアのサービングセルのセットアップまたは解放手順＞
【００２６】
本明細書におけるマルチキャリアサービングセルのセットアップとは、例えばＣＡが可能なＵＥにおけるＳＣｅｌｌ、同時通信（ＤＣ）におけるＰＳＣｅｌｌ、などの使用といったマルチキャリア動作のためにＵＥにおいてネットワークノードが少なくとも一時的にセカンダリサービングセルをセットアップまたは解放することを可能にする手順を示す。本明細書でサービングセルセットアップもしくは解放手順またはコマンドは以下のいずれか１つを実行しうる。
ＳＣｅｌｌの追加とも呼ばれるＳＣｅｌｌの設定、
ＳＣｅｌｌの解放とも呼ばれるＳＣｅｌｌの設定解除、
ＳＣｅｌｌのアクティブ化、
ＳＣｅｌｌの非アクティブ化、
ＰＳＣｅｌｌの追加とも呼ばれるＤＣにおけるＰＳＣｅｌｌの設定
ＰＳＣｅｌｌの解放とも呼ばれるＤＣにおけるＰＳＣｅｌｌの設定解除。
【００２７】
一方では、設定手順（例えばＳＣｅｌｌの設定、ＰＳＣｅｌｌの追加など）はサービング無線ネットワークノード（例えばｅＮＢ）によって、１つ以上のサービングセル（ＳＣｅｌｌ、ＰＳＣｅｌｌなど）に対応可能なマルチキャリアＵＥを設定するために使用される。これに対し、設定解除手順は、サービング無線ネットワークノード（例えばｅＮＢ）によって、１つ以上の既に設定されたサービングセルを設定解除する、または取り除くために使用される。設定または設定解除手順は、例えばＳＣｅｌｌの数を増減させるために、または既存のＳＣｅｌｌを新たなＳＣｅｌｌと交換するために、現在のマルチキャリア設定を変更するために使用される。
【００２８】
サービング無線ネットワークノードは、１つ以上の非アクティブ化済のサービングセルをアクティブ化、または対応する設定済みのセカンダリキャリア上の１つ以上のアクティブ化済のサービングセルを非アクティブ化することができる。ＰＣｅｌｌは常にアクティブ化される。それゆえ、ＳＣｅｌｌはアクティブ化または非アクティブ化されうる。
【００２９】
＜ＳＣｅｌｌアクティブ化遅延＞
【００３０】
３ＧＰＰ  ＴＳ  ３６．１３３，  ｖ１４．１．０において、ＳＣｅｌｌアクティブ化遅延は、時間内にＵＥがＥ−ＵＴＲＡキャリアアグリゲーション内の非アクティブ化済のＳＣｅｌｌをアクティブ化することができるべき遅延を指す。この要件によれば、サブフレームｎにおいてＳＣｅｌｌアクティブ化コマンドを受信する場合に、ＵＥは既知のセルに対してサブフレームｎ＋２４内に有効なＣＳＩレポートを送信し、アクティブ化されるＳＣｅｌｌに対するアクティブ化コマンドに関連する動作を適応する能力があるべきである。また、未知のセルに対して、サブフレームｎにおいてＳＣｅｌｌアクティブ化コマンドを受信する場合に、１回目の試行でＳＣｅｌｌがうまく検出されうるならば、ＵＥはサブフレームｎ＋３４内に有効なＣＳＩレポートを送信し、アクティブ化されるＳＣｅｌｌに対するアクティブ化コマンドに関連する動作を適用させることが可能であるべきである。さらに、いずれかの他のＳＣｅｌｌがＵＥによってアクティブ化、非アクティブ化、設定または設定解除された場合、ＵＥは次に表現に従ってＳＣｅｌｌアクティブ化遅延の要件（Ｔactivate_total）を満たすべきである。
2019537361.tif 000003
【００３１】
ここで、
【００３２】
Ｔactivate_totalはＳＣｅｌｌをアクティブ化する合計時間であり、サブフレームで表現される。
【００３３】
Ｔactivate_basicは他セルのアクティブ化／非アクティブ化などを含まないＳＣｅｌｌアクティブ化遅延である。
【００３４】
Ｋi（０≦Ｋi≦［３］）は、ＳＣｅｌｌがアクティブ化されている間に他のｉ番目のＳＣｅｌｌがアクティブ化、非アクティブ化、設定または設定解除された回数であり、
【００３５】
Ｎ（２≦Ｎ≦４）はＵＥによってサポートされるＳＣｅｌｌの最大数である。
【００３６】
有効なＣＳＩはＵＥの測定に基づき、提供されるＣＱＩインデックス＝０（範囲外）を除いて３ＧＰＰ  ＴＳ３６．２１３で指定された任意のＣＱＩ値に対応する。
【００３７】
さらに、ＰＣｅｌｌの中断は、ＰＣｅｌｌがＥ−ＵＴＲＡ  ＦＤＤに属する場合、サブフレームｎ＋５の前に発生せず、サブフレームｎ＋９の後にも発生しない。ＰＣｅｌｌの中断は、ＰＣｅｌｌがＥ−ＵＴＲＡ  ＴＤＤに属する場合、サブフレームｎ＋５の前に発生せず、サブフレームｎ＋１１の後にも発生しない。
【００３８】
ＳＣｅｌｌアクティブ化の間、ＵＥは典型的に以降の動作を実行する。
−アクティブ化コマンドを格納するＭＡＣ  ＣＥを復号し、ＡＣＫを返送する（例えばＬＴＥにおける４ｍｓ）
−ＳＣｅｌｌをアクティブ化するために必要な内部ステップ（これらは実装に依存する）であって、そのうちの１つがＣＣを処理するＲＦチェーンを起動する内部ステップの全てを実行する
−ＡＧＣを調整する（このステップはセルが既知であるか否か、いつそのセルが最後に測定されたかなどに依存する）
−セルの正確なタイミングを取得する（このステップはセルが既知であるか未知であるかに依存する）
−それに基づいてＣＱＩを計算し、ＣＱＩをｅＮＢに報告する無線信号のインスタンスを処理する（例えばＬＴＥにおける４ｍｓ）。
【００３９】
＜ＰＳＣｅｌｌ追加遅延＞
【００４０】
ＰＳＣｅｌｌ追加遅延は、ＵＥが時間内にＥ−ＵＴＲＡ同時通信においてＰＳＣｅｌｌを設定できるべきである遅延の要件を定義する。３ＧＰＰ  ＴＳ  ３６．１３３によれば、サブフレームｎでＰＳＣｅｌｌの追加を受信する場合、ＵＥはサブフレームｎ＋Ｔconfig_PSCell内にＰＳＣｅｌｌにＰＲＡＣＨプリアンブルを送信することが可能であるべきであり、
【００４１】
Ｔconfig_PSCell  ＝  ２０  ｍｓ  ＋  Ｔactivation_time  ＋  ５０  ｍｓ  ＋  ＴPCell_DU  ＋  ＴPSCell_DU
【００４２】
Ｔactivation_timeはＰＳＣｅｌｌアクティブ化遅延である。ＰＳＣｅｌｌが既知である場合、Ｔactivation_timeは２０ｍｓである。ＰＳＣｅｌｌが未知である場合、最初の試行でＰＳＣｅｌｌを正常に検出できる場合、Ｔactivation_timeは３０ｍｓである。
【００４３】
ＴPCell_DUはＰＣｅｌｌ  ＰＲＡＣＨプリアンブル送信に起因する遅延の不確かさである。ＰＣｅｌｌ  ＰＲＡＣＨプリアンブル送信によってＰＳＣｅｌｌアクティブ化が中断される場合、ＴPCell_DUは２０ｍｓまでであり、そうでなければ０である。
【００４４】
ＴPSCell_DUは、ＰＳＣｅｌｌにおける第１の利用可能なＰＲＡＣＨ機会を取得する場合の遅延の不確かさである。ＴPSCell_DUは３０ｍｓまでである。
【発明の概要】
【００４５】
いくつかの場合では、ＳＲＳキャリアベースの切替で設定されたＵＥは、有効なＣＳＩ報告またはＰＲＡＣＨプリアンブルを時間内に送信することができず、例えばＳＣｅｌｌアクティブ化遅延またはＰＳＣｅｌｌ追加遅延などの、キャリアアグリゲーションのアクティブ化遅延に関する既存のそれぞれの要件を満たさなくてもよい。非アクティブ化遅延もまた影響されてもよい。
【００４６】
広い態様によれば、ＳＲＳ切替で設定されたＵＥは、少なくとも１つのキャリアアグリゲーションアクティブ化手順（例えばＳＣｅｌｌアクティブ化手順、ＳＣｅｌｌ非アクティブ化手順、ＰＳＣｅｌｌ追加手順、またはＰＳＣｅｌｌ解放手順）を適応的に実行する。
【００４７】
一態様によれば、いくつかの実施形態は、ＵＥで実行される方法を含み、方法はキャリアアグリゲーション（ＣＡ）アクティブ化手順を実行する必要性を判定することと、サウンディング参照信号（ＳＲＳ）切替手順を実行する必要性を判定することと、ＵＥにＳＲＳ切替手順の実行を許可するためのＣＡアクティブ化手順に関連付けられた遅延を延長することと、延長した遅延内にＣＡアクティブ化手順を実行することを含む。
【００４８】
いくつかの実施形態では、ＣＡアクティブ化手順を実行する必要性を判定することは、無線ネットワークノードから、前記キャリアアグリゲーション（ＣＡ）アクティブ化手順を実行する命令を含むメッセージを受信することを含む。
【００４９】
いくつかの実施形態では、ＣＡアクティブ化手順はセカンダリセル（ＳＣｅｌｌ）アクティブ化またはＳＣｅｌｌ非アクティブ化であってもよい。ＣＡアクティブ化手順がＳＣｅｌｌアクティブ化である場合、ＣＡアクティブ化手順を実行する命令を含むメッセージは、ＳＣｅｌｌアクティブ化コマンドを含むメディアアクセス制御（ＭＡＣ）制御エレメント（ＣＥ）であってもよい。ＣＡアクティブ化手順がＳＣｅｌｌ非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であってもよい。
【００５０】
前記ＣＡアクティブ化手順がＳＣｅｌｌアクティブ化である場合、延長した遅延内で前記ＣＡアクティブ化手順を実行することは、ＳＣｅｌｌをアクティブ化することと、チャネル状態情報（ＣＳＩ）レポートを前記無線ネットワークノードまたは他の無線ネットワークノードに送信することとを含んでもよい、またはさらに含む。ＣＡアクティブ化手順がＳＣｅｌｌ非アクティブ化である場合、延長した遅延内でＣＡアクティブ化手順を実行することは、ＳＣｅｌｌを非アクティブ化することを含んでもよい、またはさらに含む。
【００５１】
いくつかの実施形態では、ＣＡアクティブ化手順はプライマリセカンダリセル（ＰＳＣｅｌｌ）の追加またはＰＳＣｅｌｌの解放であってもよい。ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであってもよい。前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであってもよい。
【００５２】
ＣＡアクティブ化手順がＰＳＣｅｌｌの追加である場合、延長した遅延内でＣＡアクティブ化手順を実行することは、ＰＳＣｅｌｌを設定することを含んでもよい、またはさらに含む。ＣＡアクティブ化手順がＰＳＣｅｌｌの開放である場合、延長した遅延内でＣＡアクティブ化手順を実行することは、ＰＳＣｅｌｌを解放することを含んでもよい、またはさらに含む。
【００５３】
いくつかの実施形態では、ＳＲＳ切替手順を実行する必要性を判定することは、無線ネットワークノードからＳＲＳ要求メッセージを受信することを含んでもよい、またはさらに含む。
【００５４】
他の態様によれば、いくつかの実施形態は本明細書で説明される１つ以上のＵＥの機能（例えばステップ、動作など）を実行するよう設定される、または実行するよう動作可能なＵＥを含む。
【００５５】
いくつかの実施形態では、ＵＥは１つ以上の他のＵＥ、１つ以上の無線ノード、および／または１つ以上のネットワークノードと通信するよう設定された通信インタフェースと、通信インタフェースと動作可能に接続された処理回路であって、本明細書で説明された１つ以上のＵＥの機能を実行するよう構成された処理回路とを含んでもよい。いくつかの実施形態では、処理回路は少なくとも１つのプロセッサと、プロセッサによって実行されると、本明細書で説明されるように１つ以上のＵＥの機能を実行するようにプロセッサを設定する命令を格納する少なくとも１つのメモリとを含みうる。
【００５６】
いくつかの実施形態では、ＵＥは本明細書で説明されるような１つ以上のＵＥの機能を実行するよう構成される１つ以上の機能モジュールを含んでもよい。
【００５７】
他の態様によれば、いくつかの実施形態は、ＵＥの処理回路（例えば、プロセッサ）によって実行されると、本明細書で説明されるような１つ以上のＵＥの機能を実行するように処理回路を設定するコンピュータ可読プログラム命令またはコードを格納する非一時的コンピュータ可読媒体を含むコンピュータプログラム製品を含む。
【００５８】
いくつかの実施形態は、ＳＲＳ切替を実行する場合に、ＵＥがキャリアアグリゲーション手順の要件（例えばＳＣｅｌｌ（非アクティブ化）アクティブ化要件、ＰＳＣｅｌｌ追加／解放要件など）を満たすことを可能にしてもよい。
【００５９】
この概要は、考えられるすべての実施形態の広範な概要ではなく、いずれかまたはすべての実施形態の重要または重要な局面または特徴を特定すること、またはいずれかまたはすべての実施形態の範囲を描写することを意図しない。その意味で、添付の図面と共に以下の特定の実施形態の説明を検討すれば、他の態様および特徴が当業者には明らかになるであろう。
【図面の簡単な説明】
【００６０】
例示的実施形態は、以下の図面を参照してより詳細に説明される。
【００６１】
【図１】いくつかの実施形態に係る、ＳＲＳが送信されうるアップリンクサブフレームの図。
【００６２】
【図２】ＴＤＤのダウンリンクおよびアップリンクサブフレーム構成の一例の図。
【００６３】
【図３】いくつかの実施形態に係る、例示的な無線通信ネットワークの概略図。
【００６４】
【図４】ＳＲＳキャリアベースの切替の一例の概略図。
【００６５】
【図５】いくつかの実施形態に係る、ユーザ機器（ＵＥ）の動作のフローチャート。
【００６６】
【図６】いくつかの実施形態に係る、ユーザ機器（ＵＥ）の動作の別のフローチャート。
【００６７】
【図７】いくつかの実施形態に係る、無線ネットワークノードの動作のフローチャート。
【００６８】
【図８】いくつかの実施形態に係る、ユーザ機器（ＵＥ）のブロック図。
【００６９】
【図９】いくつかの実施形態に係る、無線ネットワークノードのブロック図。
【００７０】
【図１０】いくつかの実施形態に係る、ユーザ機器（ＵＥ）の別のブロック図。
【００７１】
【図１１】いくつかの実施形態に係る、無線ネットワークノードの別のブロック図。
【発明を実施するための形態】
【００７２】
以下に述べる実施形態は、当業者が実施形態を実施することを可能にするための情報を表す。添付の図面に照らして以下の説明を読めば、当業者は本開示の概念を理解し、本明細書では特に言及されていないこれらの概念の適用を認識するであろう。これらの概念および用途は、本開示の範囲内にあることを理解されたい。
【００７３】
以下の説明では、多数の具体的な詳細が説明される。しかしながら、実施形態はこれらの具体的な詳細がなくても実施されうることが理解される。他の例では、本開示の理解を曖昧にしないように、良く知られた回路、構成、および技術は詳細には説明されない。当業者であれば、含まれる説明によって、過度な実験をすることなく適切な機能を実施することができるだろう。
【００７４】
「一実施形態」、「実施形態」、「例示的な実施形態」などの明細書における参照は、特定の特徴、構造、または特性を含みうる実施形態を指示してもよいが、全ての実施形態が特定の特徴、構造、または特性を必ずしも含まなくてもよい。さらに、そのような用語は必ずしも同一の実施形態を参照していない。さらに、特定の特徴、構造、または特性が実施形態に関連して説明される場合、明示的に記載されているか否かに関わらず、他の実施形態に関連して特徴、構造、または特性を実施することは、当業者の知識内である。
【００７５】
図３は無線通信のために使用されうる無線ネットワーク１００の例を示す。無線ネットワーク１００はＵＥ１１０Ａ−１１０Ｂおよび、相互接続ネットワーク１２５を介して１つ以上のコアネットワークノード１５０に接続された複数の無線ネットワークノード１３０Ａ−１３０Ｂ（例えばｅＮＢ、ｇＮＢなど）を含む。ネットワーク１００は任意の好適な展開シナリオを使用してもよい。カバレッジエリア１１５Ａおよび１１５Ｂ内のＵＥ１１０は、それぞれが無線インタフェースを介して無線ネットワークノード１３０と直接通信可能であってもよい。所定の実施形態において、ＵＥはデバイス間（Ｄ２Ｄ）通信を介して互いに通信可能であってもよい。
【００７６】
一例として、ＵＥ１１０Ａは無線インタフェースを介して無線ネットワークノード１３０Ａと通信してもよい。すなわち、ＵＥ１１０Ａは無線ネットワークノード１３０Ａへ無線信号を送信および／または無線信号を受信してもよい。無線信号は、音声トラフィック、データトラフィック、制御信号、および／またはその他の適した情報を含んでもよい。いくつかの実施形態では、無線ネットワークノード１３０に関連付けられた無線信号カバレッジのエリアはセルと呼ばれてもよい。
【００７７】
「ユーザ機器」または「ＵＥ」の用語は、セルラまたはモバイルまたは無線通信システムにおけるネットワークノードおよび／または別のＵＥと通信可能な任意のタイプの無線装置のことを参照するために使用されてもよい。ＵＥの例は、ターゲットデバイス、デバイス間（Ｄ２Ｄ）ＵＥ、マシンタイプＵＥもしくはマシン間（Ｍ２Ｍ）通信が可能なＵＥ、携帯情報端末（ＰＤＡ）、タブレット、携帯端末、スマートフォン、ラップトップ埋め込み機器（ＬＥＥ）、ラップトップ搭載機器（ＬＭＥ）、ＵＳＢドングルなどを含む。
【００７８】
「ネットワークノード」という用語は、本明細書において、無線ネットワークノードまたは、例えばコアネットワークノード、ＭＳＣ、ＭＭＥ、Ｏ＆Ｍ、ＯＳＳ、ＳＯＮ、測位ノード（例えばＥ−ＳＭＬＣ）、ＭＤＴノードなどの別のネットワークノードを参照するために使用されてもよい。
【００７９】
「無線ネットワークノード」という用語は、基地局（ＢＳ）、無線基地局、ベーストランシーバ基地局（ＢＴＳ）、基地局コントローラ（ＢＳＣ）、無線ネットワークコントローラ（ＲＮＣ）、発展型ノードＢ（ｅＮＢまたはｅＮｏｄｅＢ）、Ｎｏｄｅ  Ｂ、ＭＳＲ−ＢＳのようなマルチスタンダード無線（ＭＳＲ）無線ノード、リレーノード、ドナーノード制御リレー、無線アクセスポイント（ＡＰ）、送信ポイント、送信ノード、リモート無線ユニット（ＲＲＵ）、リモート無線ヘッド（ＲＲＨ），分散アンテナシステム（ＤＡＳ）のノードなどの何れかをさらに含みうる無線ネットワークに含まれる任意の種類のネットワークノードを参照するために使用されてもよい。
【００８０】
「無線アクセス技術」または「ＲＡＴ」という用語は、たとえばＵＴＲＡ、Ｅ−ＵＴＲＡ、狭帯域インターネットオブシングス（ＮＢ−ＩｏＴ）、Ｗｉ−Ｆｉ、Ｂｌｕｅｔｏｏｔｈ（登録商標）、次世代ＲＡＴ（ＮＲ）、４Ｇ、５Ｇなどの任意のＲＡＴを参照するために使用されてもよい。ＵＥおよびネットワークノードの両方は単一または複数ＲＡＴをサポートする能力を有してもよい。
【００８１】
ＵＥはＤＬおよびＵＬ方向の少なくとも１つにおける２つ以上のキャリアの集約（アグリゲーション）を示唆するキャリアアグリゲーション（ＣＡ）で動作するよう設定されてもよい。ＣＡによって、ＵＥは複数サービングセルを有することができ、「サービング」という用語は本明細書ではＵＥが対応するサービングセルによって構成され、例えばＰＣｅｌｌまたはＳＣｅｌｌのいずれかでサービングセル上のネットワークノードへデータを送信および／またはデータを受信してもよい。データは、たとえばＤＬのＰＤＳＣＨ、ＵＬのＰＵＳＣＨなどの物理チャネルを介して送受信される。区別することなくキャリアまたは集約されたキャリアとしても呼ばれるコンポーネントキャリア（ＣＣ）ＰＣＣまたはＳＣＣは、例えばＲＲＣ設定メッセージをＵＥに送信することによって、上位レイヤのシグナリングを使用するネットワークノードによってＵＥにおいて設定される。設定されたＣＣはネットワークノードによって、設定されたＣＣのサービングセル（例えばＰＣｅｌｌ、ＰＳＣｅｌｌ、ＳＣｅｌｌなど）上のＵＥにサービスを提供するために使用される。設定されたＣＣは、例えばＰＣｅｌｌ、ＳＣｅｌｌまたはＰＳＣｅｌｌ上で動作するセルおよび隣接セル上で１つ以上の無線測定（例えばＲＳＲＰ、ＲＳＲＱなど）を実行するために使用される。
【００８２】
「デュアルコネクティビティ」または「ＤＣ」という用語は、マスタｅＮＢ（ＭｅＮＢ）およびセカンダリｅＮＢ（ＳｅＮＢ）と呼ばれる少なくとも２つのノードによってＵＥがサービスを提供されうる動作モードを参照するために使用されてもよい。より一般的には、複数接続（別名マルチコネクティビティ）動作において、ＵＥは、例えばＭｅＮＢ、ＳｅＮＢ１、ＳｅＮＢ２、およびそのような２以上のノードによってサービスを提供されうる。ＵＥは、ＭｅＮＢおよびＳｅＮＢの両方からＰＣＣで設定される。ＭｅＮＢおよびＳｅＮＢからのＰＣｅｌｌはそれぞれＰＣｅｌｌおよびＰＳＣｅｌｌと呼ばれる。ＰＣｅｌｌおよびＰＳＣｅｌｌは通常、ＵＥを独立して動作させる。ＵＥは、ＭｅＮＢおよびＳｅＮＢのそれぞれのうちの１つ以上のＳＣＣで設定されうる。ＭｅＮＢおよびＳｅＮＢによってサービスを提供される、対応するセカンダリサービングセルはＳＣｅｌｌと呼ばれる。ＤＣのＵＥは、典型的には、ＭｅＮＢおよびＳｅＮＢの接続のそれぞれに対して個別の送受信器を有する。これによって、ＭｅＮＢおよびＳｅＮＢが、例えば無線リンクモニタリング（ＲＬＭ）、ＤＲＸサイクルなど、ＰＣｅｌｌおよびＰＳＣｅｌｌのそれぞれにおける１つ以上の手順でＵＥを独立して設定することを可能とする。
【００８３】
「ＳＲＳ」という用語は、本明細書では、例えばネットワークノードが、例えばＵＬ  ＳＮＲ、ＳＩＮＲなどのＵＬ信号品質を判定することを可能にする、ＵＬでＵＥによって送信される任意の種類の参照信号（ＲＳ）またはより一般的な物理無線信号を参照するために使用されてもよい。そのような参照信号の例は、サウンディング参照信号、ＤＭＲＳ、ＵＥ固有の参照もしくはパイロット信号、などである。本実施形態は任意のタイプのＲＳ、すなわち任意の種類のＲＳを送信するキャリアの切替に適用可能である。
【００８４】
本明細書で使用される「信号」という用語は、ＰＳＳ、ＳＳＳ、ＣＲＳ、ＰＲＳなどのような参照信号を含む任意の物理信号であってもよい。
【００８５】
本明細書で使用される（例えばチャネル受信のコンテキストにおける）「チャネル」という用語は、例えばＭＩＢ、ＰＢＣＨ、ＮＰＢＣＨ、ＰＤＣＣＨ、ＰＤＳＣＨ、ＭＰＤＣＣＨ、ＮＰＤＣＣＨ、ＮＰＤＳＣＨ、ｅＰＤＣＣＨ、ＰＵＳＣＨ、ＰＵＣＣＨ、ＮＰＵＳＣＨ、などの任意の物理チャネルであり得る。
【００８６】
本明細書で使用される用語「時間リソース」は、時間の長さに関して表現された、任意のタイプの物理リソースまたは無線リソースを参照するために使用されてもよい。時間リソースの例は、シンボル、タイムスロット、サブフレーム、無線フレーム、ＴＴＩ、インタリーブ時間などを含む。
【００８７】
「無線測定」という用語は、例えば受信信号強度（例えばＲＳＲＰまたはＣＳＩ−ＲＳＲＰ）のような電力ベースの測定もしくは品質測定（例えばＲＳＲＱ、ＲＳ−ＳＩＮＲ、ＳＩＮＲ、Ｅｓ／Ｉｏｔ、ＳＮＲ）、セル識別子、同期信号測定、到来角（ＡｏＡ）のような角度測定、Ｒｘ−Ｔｘ、ＲＴＴ、ＲＳＴＤ、ＴＯＡ、ＴＤＯＡ、タイミングアドバンスのようなタイミング測定、スループット測定、ＣＳＩ、ＣＱＩ、ＰＭＩのようなチャネル品質測定のような無線信号を受信したことに基づく任意の測定またはチャネルを参照するために本明細書で使用されてもよい。測定は、共通のリファレンスもしくは別の測定、複合的な測定に対して絶対的、相対的であってもよい（２０１２年８月１日に出願された米国特許６１／６７８４６２を参照）。測定は、１つのリンクまたは複数のリンク（例えばＲＳＴＤ、タイミングアドバンス、ＲＴＴ、相対ＲＳＲＰ、２０１２年６月１３日に出願されたＰＣＴ／ＳＥ２０１２／０５０６４４に記載されている多様なリンクでの測定）であってもよい。測定は、目的によって異なってもよいし、１つ以上の目的、例えばＲＲＭ、ＭＤＴ、ＳＯＮ、測位、タイミング制御もしくはタイミングアドバンス、同期のうちの１つ以上のために実行されてもよい。
【００８８】
「無線測定」という用語は、例えばチャネルの受信（例えばブロードキャストまたはマルチキャストチャネルを介したシステム情報の受信）などのより広い意味で使用されてもよい。
【００８９】
「要件」という用語は、ＵＥ測定に関連する任意のタイプのＵＥの要件、例えば測定要件、ＲＲＭ要件、モビリティ要件、測位測定要件などを参照するために本明細書で使用されてもよい。ＵＥ測定に関連するＵＥ要件の例は、測定時間測定報告時間もしくは遅延、測定精度（例えばＲＳＲＰ／ＲＳＲＱ精度）、測定時間にわたって測定されるセルの数などである。測定時間の例はＬ１測定期間、セル識別時間もしくはセル探索遅延、ＣＧＩ取得遅延などである。
【００９０】
いくつかの実施形態において、ＳＲＳ切替およびＳＲＳキャリアベースの切替は、異なるキャリアでＳＲＳを送信することを説明するために区別することなく使用されてもよい。ＳＲＳ切替は時間および／または周波数ドメインパターンに基づいてもよい。
【００９１】
「ＣＡアクティブ化（アクティベーション）手順」という用語は、例えば１つ以上のＳＣｅｌｌのアクティブ化または非アクティブ化、ＰＳＣｅｌｌの追加または解放などを含むように本明細書で使用されてもよい。ＣＡアクティブ化手順は、ＣＡセットアップまたは解放手順、ＳＣｅｌｌセットアップまたは解放手順、サービングセルセットアップまたは解放手順などとして区別することなく参照されてもよい。
【００９２】
広い例示的なシナリオは、第１のキャリア周波数（ｆ１）上で動作するＰＣｅｌｌで第１のネットワークノードによってサービスを提供されるＵＥを含み、当該ＵＥは第１のＳＣｅｌｌとしても知られる少なくとも１つのセカンダリサービングセル（ＳＣｅｌｌ）によってサービスを提供されることが可能である。ＵＥはさらに、２つ以上のＳＣｅｌｌ、例えば、第２のキャリア周波数（ｆ２）上で動作する第１のＳＣｅｌｌと第３のキャリア周波数（ｆ３）上で動作する第２のＳＣｅｌｌと、によってサービスを提供されることが可能であってもよい。同じことが２つより多いＳＣｅｌｌについても適用される。キャリアｆ１は区別することなくＰＣＣと呼ばれ、キャリアｆ２、ｆ３、...、ｆ（ｎ）は交換可能にそれぞれＳＣＣ１、ＳＣＣ２、...、ＳＣＣ（ｎ−１）などと呼ばれてもよい。
【００９３】
一例では、ｆ１、ｆ２、およびｆ３の全てはライセンススペクトラムに属する。さらに別の例では、キャリアｆ１およびｆ３はライセンススペクトラムまたは周波数帯に属してもよく、キャリアｆ２は非ライセンススペクトラムまたは周波数帯に属してもよい。他の組み合わせもまた可能である。非ライセンススペクトラムまたはバンドにおいて、競合ベースの送信が許可されている、すなわち、２つ以上の装置（ＵＥまたはネットワークノード）が特定の公平性の制約条件、例えばＬＢＴ、に基づいてスペクトラムの同じ部分にアクセスできる。この場合、オペレータ（またはユーザまたは送信器）がスペクトラムを所有する。ライセンススペクトラムまたはライセンスバンドにおいて、競合のない送信のみが許可される、すなわち、スペクトラム免許の所有者によって許可された機器（ＵＥまたはネットワークノード）のみがライセンススペクトラムにアクセスできる。ユースケースの一例において、全てのキャリアは非ライセンススペクトラムにあってもよく、またはライセンス共有スペクトラムもしくはＬＢＴが必要とされるスペクトラムにあってもよい。
【００９４】
一例では、ＣＣおよびそれに対応するＵＥのサービングセルは全て同一のノード内に含まれてもよい。別の例では、少なくともそれらのうちの２つは異なるノードに含まれてもよく、それらは同じ場所であってもよいし別の場所であってもよい。
【００９５】
一例では、全てのＣＣおよびそれに対応するＵＥのサービングセルは、例えばｐＴＡＧのような同一のタイミングアドバンスグループ（ＴＡＧ）で構成されてもよい。別の例では、いくつかのＣＣおよびそれに対応するＵＥのサービングセルは１つのタイミングアドバンスグループ（ＴＡＧ）（例えばｐＴＡＧ）で構成され、残りは別のＴＡＧ（例えばｓＴＡＧ）で構成されてもよい。さらに別の例では、ＵＥは２つ以上のＴＡＧで設定されてもよい。
【００９６】
上述のシナリオはまた、対応するＣＡ構成に基づいて実行されるＤＣまたはマルチコネクティビティ動作を含んでもよく、異なる実施形態におけるＰＳＣｅｌｌは、例えば、ＳＣｅｌｌのセットに属してもよい。
【００９７】
ＳＲＳ切替（またはＳＲＳ送信の切替としても呼ばれる）は以下の少なくとも１つを含みうる。
−第１および第２のキャリア周波数はライセンスおよび／または非ライセンススペクトラムで、同一のＲＡＴまたは異なるＲＡＴに属しうる、第１のキャリア周波数上でＳＲＳ送信を開始すること、および／または第２のキャリア周波数上でＳＲＳ送信を停止すること。以前の例によれば、ＳＲＳキャリアベースの切替は、ｆ１、ｆ２、ｆ３、...、ｆ（ｎ）のうちの１つ以上の任意のキャリアを含んでもよい。
−１つ以上のアンテナまたはアンテナポートからＳＲＳ送信の開始することおよび／または停止すること。
【００９８】
一例では、ＳＲＳ切替はキャリアベースのＳＲＳ切替および／またはアンテナベースのＳＲＳ切替を含んでもよい。
【００９９】
ＳＲＳ切替はネットワークおよび／またはＵＥによって制御されてもよい。
【０１００】
いくつかの実施形態はキャリアベースのＳＲＳ切替について説明されるものの、それらは任意のＳＲＳ切替タイプに適用可能である。
【０１０１】
ＳＲＳ切替の間のキャリア間および／またはアンテナ間の切替は、例えばＰＣｅｌｌまたはアクティブ化されたＳＣｅｌｌへの、中断を引き起こしうる。これは、（ＳＲＳ送信が切り替えられる先の）ターゲットキャリアを設定することおよび／またはアクティブ化すること、（ＳＲＳ送信が切り替えられる元の）ソースキャリアの設定解除することおよび／または非アクティブ化することといったＵＥの再設定、遅延、性能低下など、に起因しうる。
【０１０２】
図４に示す例示的なＣＣの組み合わせとして、５つのＤＬコンポーネントキャリアおよび２つのＵＬコンポーネントキャリアのＣＡ配列がある。この例では、１つのＵＬコンポーネントキャリアはＰＣｅｌｌに固定され、ＳＲＳ切替はＳＣｅｌｌのうちの１つ（例えばＳＣｅｌｌ１からＳＣｅｌｌ２へ）で行われる。そのため、この時点では、２つのＵＬコンポーネントキャリアの組み合わせである。同じ例示的なシナリオは、それぞれＤＬおよびＵＬにおける他の数の集約されたＣＣで示されてもよい。キャリア、すなわちＣＣｙ、ＣＣｚ、ＣＣｕ、およびＣＣｖは異なるバンドにあり得る。例えば、ＣＣｙは１ＧＨｚ未満の任意のバンドであってもよく、ＣＣｚは２ＧＨｚ周辺のバンドであってもよく、ＣＣｕは３．５ＧＨｚにおける任意のバンドであってもよい。
【０１０３】
ＵＥは、ネットワークノードによって、１つ以上のサービングセルへのＳＲＳ送信の切替を要求されてもよい。いくつかの実施形態において、１つ以上のＳＲＳ切替メッセージまたはコマンドは、例えばＲＲＣシグナリングを介して、ＭＡＣ  ＣＥコマンドを介して、または物理レイヤメッセージ（例えばＰＤＣＣＨで搬送されるダウンリンク制御情報（ＤＣＩ））を介して、ＵＥによって受信されてもよい。
【０１０４】
例えば、以下のシグナリングが適用されてもよい。
−第１のサービングセルからＳＲＳキャリアの切替のために、第２のネットワークノードから第１のサービングセルのＳＲＳ切替要求メッセージまたはコマンドを受信すること、
−第２のサービングセルからＳＲＳキャリアの切替のために、第３のネットワークノードから第２のサービングセルのＳＲＳ切替要求メッセージまたはコマンドを受信すること、
−第３のサービングセルからＳＲＳキャリアの切替のために、第４のネットワークノードから第３のサービングセルのＳＲＳ切替要求メッセージまたはコマンドを受信すること。
【０１０５】
いくつかの実施形態において、第１、第２、第３、および第４のネットワークノードの少なくともいくつかは、同一である、または同じ場所または位置に共同設置される。例えば、そのような実施形態において、ＵＥは１つ以上のサービングセルからＳＲＳキャリアを切り替えるための１つ以上のメッセージまたはコマンドを第１のネットワークノードから受信してもよい。また例えば、そのような実施形態において、ＵＥは１つ以上のサービングセルのＳＲＳ切り替えのために、１つ以上のメッセージをＰＣｅｌｌから受信してもよい。
【０１０６】
いくつかの実施形態において、第１、第２、第３および第４のネットワークノードの任意の組み合わせは異なってもよいし、異なる場所または位置に配置されてもよい、または共同設置されうる論理的に異なるノードであってもよい。そのような実施形態において、ＵＥは１つ以上のサービングセルからのＳＲＳキャリア切替のための１つ以上のメッセージを個別のサービングセルから受信してもよい。
【０１０７】
図５はＵＥ１１０のようなＵＥにおいて実行されうる方法の実施形態を示す。方法は、以下を含む。
【０１０８】
ステップＳ１００（いくつか、ただし必ずしも全てではない実施形態で）：例えば、時間内にＵＥが有効な送信（例えば有効なＣＳＩまたはＰＲＡＣＨプリアンブル）を送信することができる、１つ以上のＣＡアクティブ化（例えばＳＣｅｌｌアクティブ化手順、ＳＣｅｌｌ非アクティブ化手順、ＰＳＣｅｌｌ追加手順、またはＰＳＣｅｌｌ解放手順）に関する遅延を制御するために、ＵＥの動作をＳＲＳ切替およびＣＡアクティブ化に適応するＵＥの能力を示すメッセージを別のノード（例えばネットワークノードまたは別のＵＥ）に送信するまたは通知する。
【０１０９】
ステップＳ１０２：第１のキャリア周波数（Ｆ１）上の少なくとも第１のセル（セル１）に対してＣＡアクティブ化手順（例えばＳＣｅｌｌアクティブ化手順、ＳＣｅｌｌ非アクティブ化手順、ＰＳＣｅｌｌ追加手順、またはＰＳＣｅｌｌ解放手順）を実行する必要があってもよいと判定する。
【０１１０】
ステップＳ１０４：ＵＥが、第２のキャリア周波数（Ｆ２）上で動作する少なくとも第２のセル（セル２）上での送信（例えばＳＲＳまたはＰＲＡＣＨ）のためのＳＲＳ切替手順を実行する必要があってもよいと判定する。
【０１１１】
ステップＳ１０６：ＣＡアクティブ化手順およびＳＲＳ切替手順の少なくとも１つを適応的に実行する。
【０１１２】
ステップＳ１０８：ＣＡアクティブ化手順、ＳＲＳ切替手順の結果、または別のノードへの適応の結果を送信または指示する、および／または１つ以上の選択的なタスクに対して当該結果を使用する。
【０１１３】
当然ながら、上記のステップの１つ以上は同時に、および／または異なる順番で実行されてもよい。また、破線で示すステップは選択的であり、いくつかの実施形態では省略されてもよい。
【０１１４】
以下、ステップをより詳細に説明する。
【０１１５】
（ステップＳ１００）
【０１１６】
この選択的なステップにおいて、ＵＥは、例えば、時間内にＵＥが有効な送信（例えば有効なＣＳＩまたはＰＲＡＣＨプリアンブル）を送信することができる、１つ以上のＣＡアクティブ化（例えばＳＣｅｌｌアクティブ化手順、ＳＣｅｌｌ非アクティブ化手順、ＰＳＣｅｌｌ追加手順、またはＰＳＣｅｌｌ解放手順）に関する遅延を制御するために、ＵＥの動作をＳＲＳ切替およびＣＡアクティブ化に適応するＵＥの能力を示すメッセージまたは指示を別のノード（例えばネットワークノードまたは別のＵＥ）に送信してもよい。
【０１１７】
当該指示は、本明細書に記載される１つ以上の実施形態にしたがって動作するＵＥの能力を含んでもよい。
【０１１８】
適応能力は、例えば別ノードからの要求の際に、または条件もしくはイベントをトリガするまたは別ノードから所定のメッセージを受信する際にシグナリングされてもよい。
【０１１９】
（ステップＳ１０２）
【０１２０】
本ステップにおいて、ＵＥは、当該ＵＥが第１のキャリア周波数（Ｆ１）上の少なくとも第１のセル（セル１）に対してＣＡアクティブ化手順、例えば非アクティブ化されたＳＣｅｌｌのアクティブ化、アクティブ化されたＳＣｅｌｌの非アクティブ化、ＰＳＣｅｌｌの追加または解放、を実行する必要があり得ることを判定してもよい。
【０１２１】
いくつかの実施形態において、判定することはさらに、ＣＡアクティブ化手順に関連付けられた遅延内にＵＥが有効な送信を送信する必要があり得ることを判定することを含んでもよい。たとえば、ＵＥはアクティブ化手順がトリガされた後で（例えばＳＣｅｌｌアクティブ化コマンドの受信の際、またはトリガ条件またはイベントの際に）、有効な測定レポート（例えばＣＳＩレポート）を送信する必要があってもよい。別の例では、ＵＥはアクティブ化手順がトリガされた後で（例えばＰＳＣｅｌｌ追加コマンドの受信の際、またはトリガ条件またはイベントの際に）、有効なＰＲＡＣＨプリアンブルを送信する必要があってもよい。
【０１２２】
いくつかの実施形態において、判定することはさらに、ＣＡアクティブ化手順に関連付けられた遅延内にＵＥが有効な送信を送信するためにＤＬにおいて信号／チャネルを受信する必要があり得ることを判定することを含んでもよい。例えば、有効な測定レポート（例えばＣＳＩ）を送信するために、ＵＥは測定のためにＤＬにおいて所定の信号／チャネルを受信する必要があってもよい。別の例では、ＵＥがＵＬでの送信のための有効なＴＡ（タイミングアドバンス）、有効な測定報告がない場合、ＵＥは送信の前に有効なタイミングを取得する（例えばＴＡコマンドを待つまたは参照に基づいてタイミングを判定する）必要があってもよく、有効なタイミングを取得することは、ネットワークノードからＴＡコマンドを受信することを可能にするためにＰＲＡＣＨを送信することを含んでもよい。
【０１２３】
どちらの場合にも、判定することは、例えば以下の１つ以上に基づいてもよい。
−別ノード（例えばＵＥまたは別のネットワークノード）から受信されたメッセージ（例えばリクエスト、コマンド、トリガなど）または指示、
−あらかじめ定義された手順（例えば、ＵＥがどの測定レポートを送信することを期待されているか、ならびにＵＥが取り必要のある一連の最小ＵＥ動作があらかじめ定義されてもよい）、
−あらかじめ定義されたルール、
−あらかじめ定義された要件、
−トリガイベントまたは条件、
−タイマまたはカウンタ（例えば満了時にアクティブ化手順をトリガする）、
−ＣＡアクティブ化手順の結果（例えば失敗の成功であって、失敗の場合には有効な測定結果を送信する必要はない）、
−有効な測定レポート送信のようなＵＬ送信のための有効な送信タイミングがあるか否かを判定すること（例えば、なければ、ＵＥは判定することが必要で、判定することは所定の参照ＤＬ信号に基づいて判定すること、またはそれに応じてＴＡを受信することを可能にするＰＲＡＣＨを送信することを含んでもよい）、
−有効な測定レポート送信のためにＵＬリソースの利用可能性を判定すること（利用可能ではない場合、ＵＥはリソースを取得することが必要で、取得することはさらに、ＵＥが自律的にまたはあらかじめ定義されたルールに基づいてリソースを判定できるまで、信号／チャネルを送信および／または受信することを含んでもよい）。
【０１２４】
（ステップＳ１０４）
【０１２５】
本ステップにおいて、第２のキャリア周波数（Ｆ２）上で動作する少なくとも第２のセル（セル２）上での送信（例えばＳＲＳまたはＰＲＡＣＨ）のためのＳＲＳ切替手順を実行する必要があると判定してもよい。
【０１２６】
判定することは、以下の１つ以上に基づいてもよい。
−ＵＥアクティビティ状態（例えばＳＲＳは非ＤＲＸ状態または短いＤＲＸ状態のみで切り替え、ｅＤＲＸまたはＤＲＸでは切り替えない）、
−ＳＲＳ切替タイプ、
−ＳＲＳ切替設定、
−第１ノードの上位レイヤから、または別ノード（例えばネットワークノードまたは別のＵＥ）から受信したＳＲＳキャリアベースの切替を実行する必要があることを示すメッセージ、トリガまたは指示、
−ＳＲＳ切替に関連付けられた送信（例えばＳＲＳおよび／またはＰＲＡＣＨ）設定、
−ＳＲＳキャリアベースの切替を実行する必要があるイベント、条件、またはトリガ、
−ＳＲＳキャリアベースの切替が実行される必要があることを示す（例えば定期的またはスケジューリングされた測定のための）第１のノードのタイマ、
−いつＳＲＳキャリアベースの切替が実行されるべきか、およびどの周波数リソース（例えばキャリア）が含まれるかを制御する、時間および／または周波数ドメインのパターン、
−ＳＲＳキャリアベースの切替に関連して開始するためのＳＲＳ送信のためのＳＲＳ（再）設定、
−ＳＲＳキャリアベースの切替に関連して停止するためのＳＲＳ送信のためのＳＲＳ（再）設定、
−セル２のＵＥへのＵＬおよび／またはＤＬにおける信号のスケジューリング、
−セル２におけるＵＬおよび／またはＤＬ信号品質の推定、
−ＵＥとセル２との間の、例えばラウンドトリップタイム、タイミングアドバンスなどのタイミングの推定、
−ＵＥの位置。
【０１２７】
ＳＲＳ切替設定は、例えば以下の１つ以上をさらに含んでもよい。
−ＳＲＳ切替期間（すなわち、時間手あって、その後でＵＥがＳＲＳを送信するために別のキャリアに切り替える時間）、
−ＳＲＳキャリアベースの切替に含まれるキャリアの数またはセット、
−キャリアが切り替わる順序、
−ＳＲＳ切替ループ長（例えば同一キャリア上の次の送信までの時間）、
−ＳＲＳ送信設定（例えば、背景技術の章で説明したようなＳＲＳ送信パラメータを参照）、
−ＰＲＡＣＨ設定（例えば設定インデックス、プリアンブルフォーマットなど）、
−送信のための時間および／または周波数リソース、
−ＳＲＳキャリアベースの切替の間にキャリアに滞在する時間、
−ＳＲＳ切替先のキャリア周波数上でのＳＲＳ送信の前の最短または最長時間、
−ＳＲＳ切替元のキャリア周波数上でのＳＲＳ送信の後の最短または最長時間、
−ＵＥが切り替えることができる元のキャリアのリストおよび／またはＵＥが切り替えることができる先のキャリアのリスト、
−など。
【０１２８】
（ステップＳ１０６）
【０１２９】
本ステップにおいて、ＵＥはＣＡアクティブ化手順およびＳＲＳ切替手順の少なくとも１つを適応的に実行する。
【０１３０】
いくつかの実施形態において、ＵＥはＣＡアクティブ化手順に対するＳＲＳ切替のいかなる影響も完全に避けるために、ＳＲＳ切替のみを適応させてもよい。ＳＲＳ切替の適応の一例は、セル１に対する実行中のＣＡアクティブ化手順が完了するまでＳＲＳ切替を遅延することを含む。ＳＲＳ切替の適応の別例は、セル１に対する実行中のＣＡアクティブ化手順を開始する前までＳＲＳ切替を実行することを含む。この場合、ＵＥはＵＥがＳＲＳ切替のために設定されていない場合に満たされるべきＣＡアクティブ化要件（例えばＣＡアクティブ化遅延（Ｔ０））を満たしてもよい。
【０１３１】
いくつかの実施形態において、ＵＥはＣＡアクティブ化手順に対するＳＲＳ切替の任意の影響を少なくとも部分的に避けるために、ＳＲＳ切替を部分的に適応させ、ＣＡアクティブ化手順も適応させてもよい。ＳＲＳ切替の部分的な適応の一例は、ＣＡアクティブ化手順の間にＳＲＳ切替をできるだけ少ない回数実行することを含む。この場合、ＵＥは部分的に延長されたＣＡアクティブ化要求（例えばＣＡアクティブ化遅延（Ｔ１））、Ｔ１＞Ｔ０を満たすことができる。
【０１３２】
いくつかの実施形態において、ＵＥはＣＡアクティブ化手順を適応させる一方でＳＲＳ切替を適応させなくてもよい。例えば、ＳＲＳ切替はＣＡアクティブ化手順への影響に関係なく実行されてもよい。この場合、ＵＥは延長されたまたは緩和されたＣＡアクティブ化要求（例えばＣＡアクティブ化遅延（Ｔ２））、Ｔ２＞Ｔ１を満たすことができる。延長したＣＡアクティブ化要求を満たすために、ＵＥはＣＡアクティブ化手順を適応させなければならなくてもよい。
【０１３３】
いくつかの実施形態において、延長したＣＡアクティブ化時間または遅延の要件（Ｔ２）の間に、数Ｎ１以下のＳＲＳ切替動作が発生しない限り、ＵＥは、ＣＡアクティブ化手順を適応させる一方でＳＲＳ切替を適応させなくてもよい。例えば、ＵＥがＣＡアクティブ化手順を実行しているＴ２の間、ＵＥによって実行されるＳＲＳ切替動作の数がＮ１より大きい場合、ＵＥは実行中のＣＡアクティブ化手順を中止してもよい。この場合、ＵＥは、ＣＡアクティブ化手順を中止したことをネットワークノードに通知してもよい。
【０１３４】
いくつかの実施形態において、基本的なＣＡアクティブ化時間または遅延の要件（例えばＴ０）の間に、数Ｎ２以下のＳＲＳ切替動作が発生しないように、ＵＥは、ＳＲＳ切り替えを適応させてもよい。例えば、ＵＥがＣＡアクティブ化手順を実行しているＴ０の間、ＵＥによって実行されるＳＲＳ切替動作の数がＮ２より大きくない場合、ＵＥは実行中のＣＡアクティブ化手順を実行してもよい。
【０１３５】
いくつかの実施形態において、延長したＣＡアクティブ化時間または遅延の要件（例えばＴ３）の間に、数Ｎ３以下のＳＲＳ切替動作が発生しないように、ＵＥは、ＳＲＳ切り替えを適応させてもよい。例えば、ＵＥがＣＡアクティブ化手順を実行しているＴ２の間、ＵＥによって実行されるＳＲＳ切替動作の数がＮ３より大きくない場合、ＵＥはＴ３の間、実行中のＣＡアクティブ化手順を実行してもよい。
【０１３６】
いくつかの実施形態において、ＣＡアクティブ化時間または遅延の要件（例えばＴ０）内の所定の特定の時間リソースまたは特定の信号の間に、ＳＲＳ切替動作が発生しないように、ＳＲＳ切替を選択的に適応させてもよい。特定の時間リソースまたは信号の例は、ＰＳＳＳ／ＳＳＳを含むサブフレーム＃０およびサブフレーム＃５、ランダムアクセス機会を有するサブフレームなど、のような特定の動作のために使用されるものである。一例では、Ｔ０の間にＵＥによって実行されるＳＲＳ切替動作が特定の信号または時間リソースには影響しないが他の信号に影響しうる場合、続いてＵＥは延長した期間内にＣＡアクティブ化手順を実行してもよい。別の例において、Ｔ０の間にＵＥによって実行されるＳＲＳ切替動作が特定の信号または時間リソースには影響しないが他の信号に影響しうる場合、続いてＵＥはＴ４＞Ｔ０であるＴ４以内にＣＡアクティブ化手順を実行してもよい。
【０１３７】
上述した例において、ＳＲＳ切替がＵＥにおけるＵＬおよび／またはＤＬのセル１の所定の時間リソースまたは信号（例えばＰＳＳ、ＳＳＳ、ＣＲＳ、ランダムアクセスなど）への割り込みを引き起こしうるため、ＵＥはＣＡアクティブ化時間を延長するまたはＣＡアクティブ化手順を中止しなければならなくてもよい。そのようなリソースまたは信号は、例えばアクティブ化コマンドもしくはメッセージの処理、帯域の再設定、セル１へのランダムアクセス同期、セル１のＡＧＣの取得などのＣＡアクティブ化手順に関する１つ以上の動作に対して、ＵＥによって使用されてもよい。そのような信号の損失は、ＣＡアクティブ化手順を完了するために、そのような信号の損失によって影響される動作の再開をＵＥに要求するであろう。
【０１３８】
いくつかの実施形態において、ＵＥは、ＣＡアクティブ化手順に関連付けられた遅延に関連付けられたパフォーマンス特性、要件、または目標をさらに取得してもよい。取得することは、例えばあらかじめ定義されたルール、要件、表、別ノードから受信されたメッセージもしくは指示（性能目標または測定期間または最大許容割り込みはＲＲＣを介して指示される）、などに基づいてもよい。パフォーマンス特性／ターゲット／要件の例：１つ以上の非アクティブ化されたＳＣｅｌｌのアクティブ化遅延、１つ以上のアクティブ化されたＳＣｅｌｌの非アクティブ化、ＰＳＣｅｌｌ追加遅延、ＰＳＣｅｌｌ解放遅延、など。
【０１３９】
いくつかの実施形態において、ＵＥは、取得したパフォーマンス特性、要件、または目標に基づいて、ＣＡアクティブ化手順およびＳＲＳ切替設定もしくは手順のうちの少なくとも１つをさらに適応してもよい。例えば、適応はパフォーマンス要件を満たすように実行されてもよい。
【０１４０】
いくつかの実施形態において、ＵＥは、ＣＡアクティブ化手順に関連付けられた送信（例えば、測定レポートの送信またはＰＲＡＣＨ送信）をさらに実行してもよい。
【０１４１】
いくつかの実施形態において、ＵＥは、ＣＡアクティブ化手順に関連付けられた時間および／または周波数リソースＲ１（例えばＤＬおよび／またはＵＬ）を判定してもよい。
【０１４２】
いくつかの実施形態において、ＵＥは、ＳＲＳ切替に関連付けられた時間および／または周波数リソースＲ２を判定してもよい。
【０１４３】
いくつかの実施形態において、ＵＥは、ＳＲＳ切替および関連する送信（例えばＳＲＳおよびＰＲＡＣＨ）によって影響されるＦ１上の時間および／または周波数リソースＲ１＊を判定してもよい。
【０１４４】
適応は、例えば以下の１つ以上を適応することを含んでもよい。
−ＳＲＳ切替設定、
−ＳＲＳ切替に関連付けられた送信設定（例えばＳＲＳまたはＰＲＡＣＨ）、
−ＣＡアクティブ化手順。
【０１４５】
適応は、例えば以下の１つ以上をさらに含んでもよい。
−ＳＲＳ切替とＣＡアクティブ化手順との間の１つ以上の優先度（例えば、送信優先度、パフォーマンス優先度など）に基づいて適応すること、
−以下に関連付けた時間および／または周波数リソースを適応させること、
・ＳＲＳ切替、
・ＳＲＳ切り替えに関連する送信、
・（例えばＳＲＳ切り替えに関連する送信のためのタイミングの取得するための）ＳＲＳ切替に関連する受信、
・ＣＡアクティブ化手順に関する送信、
・（例えば、ＳＲＳ切り替えに関する送信のためのタイミングを取得するため、または有効な測定レポートを報告することができる測定を実行するための）ＣＡアクティブ化手順に関する受信、
−ＳＲＳ切替設定および関連する送信設定を適応させること、および／またはＣＡアクティブ化手順の間に特定のサブフレームにおいてＳＲＳ切り替えに起因する中断を回避するためにＣＡアクティブ化手順をトリガする時間を適応させること、例えば、
・ＰＣｅｌｌがＥ−ＵＴＲＡ  ＦＤＤに属する場合、サブフレームｎ＋５の前およびサブフレームｎ＋９の後ではない時間の間、または
・ＰＣｅｌｌがＥ−ＵＴＲＡ  ＦＤＤに属する場合、サブフレームｎ＋５の前およびサブフレームｎ＋１１の後ではない時間の間、
・ここでｎはアクティブ化／非アクティブ化コマンドを受信するまたはＣＡアクティブ化手順をトリガするサブフレーム、
−ＳＲＳ切替のための設定パラメータを適応させること、
−ＳＲＳ切替に関連付けられた送信のための設定パラメータを適応させること、
−ＣＡアクティブ化手順に関連付けられた送信（例えばＣＳＩまたはＰＲＡＣＨ送信のような測定レポートの送信）のための設定パラメータを適応させること、
−ＣＡアクティブ化手順に関連付けられたタイミング取得手順を適応させること、
−ＣＡアクティブ化手順に関連して、信号／チャネルの受信を、延期すること／遅延すること／時間を増加させること／制度を妥協すること、
−ＳＲＳ切替および／または関連する送信をやめること／とばすこと／延期すること／遅延すること／より早く実行すること／再開すること、
−ＣＡアクティブ化手順に関連付けられた送信をやめること／とばすこと／延期すること／遅延すること／より早く実行すること／再開すること／再送すること／再スケジューリングすること、
−例えばＬ１個の時間リソースの後の所定の遅延でＣＡアクティブ化手順に関連付けられた送信を延期すること／遅延すること／再開すること／再送すること／再スケジューリングすること、
−ＳＲＳ切替に起因してＬ２個の割り込みの後に配送することができない場合、ＣＡアクティブ化手順に関連付けられた送信を中止することと、
−Ｆ１とは異なるキャリアでＣＡアクティブ化手順に関連付けられた送信を送信することと、
−ＳＲＳ切り替えの影響を最小化するために、例えばＦ１と別のキャリアとの間の、ＣＡアクティブ化手順に関連付けられた送信のためのキャリアを送信のために選択することと、
−例えばＲ２とＲ１との間の少なくとも時間ＴまたはＮ回のリソース（特別な場合、ＴおよびＮはゼロであってもよく、すなわち隣接するＲ２およびＲ１）を可能にするリソースＲ１＊およびＲ１の時間を（例えば）周期的に適応させること、時間をスケジューリングすること、上述のいずれか、などによって）ずらすことと、
−Ｘ個より多いＲ１リソースがＲ１＊と重複しないことを確実にすることと、
−Ｘ％より多いＲ１リソースがＲ１＊と重複しないことを確実にすることと、
−Ｙ％より多いＲ１＊リソースがＲ１と重複しないことを確実にすることと、
−セル１への割り込みの影響の合計量（ＳＲＳ切替に起因する割り込みを含む）ことが閾値を下回ることまたは割り込み確率が閾値を超えないようにすることと、
−Ｒ１およびＲ２の少なくともいくらかの重複が生じている場合、ＵＬ応答送信の試行数を増加させることと、
−ＳＲＳ切替の影響によって減少した送信試行数を補償するように、（ＣＡアクティブ化手順に関する）ＵＬ送信の信頼性またはロバスト性（例えばＭＣＳおよび／または送信電力を適応させること）を増加させることと、
−例えば、合計送信電力が閾値またはＵＥ送信能力を超えないように、ＳＲＳ切り替えに関する送信およびＣＡアクティブ化に関する送信の片方または両方の送信電力を減少させ、ＳＲＳ切り替えに関する送信および／またはＣＡアクティブ化の遅延に関する送信の送信電力を適応させること。
【０１４６】
ＳＲＳ切替、ＳＲＳ切替に関する送信、および／またはＣＡアクティブ化に関する送信の適応された設定は、例えばあらかじめ定義されたルール、要件、表、別ノードから受信されたメッセージまたは指示、などに基づいて取得されてもよい。
【０１４７】
適応は、ＣＡアクティブ化手順におけるＳＲＳのキャリアベースの切替の影響（例えば割り込みの影響または送信器または他のＵＥリソースの共有の影響）を制御（例えば避ける、減少する、または最小化する）ために実行される。適応は、ＳＲＳ切替に関するパフォーマンスとＣＡアクティブ化手順の間のトレードオフ（例えば両方の無劣化、または両方での程度が限定されている劣化が許容されうる）を達成するために実行されてもよい。適応は、ＳＲＳ切替パフォーマンスへのＣＡアクティブ化手順の影響を制御（例えば避ける、減少する、または最小化する）ために実行されてもよい。適応は、ＳＲＳ切替とＣＡアクティブ化手順との間の１つ以上の優先度（例えば、送信優先度、パフォーマンス優先度など）に基づいてもよい。
【０１４８】
適応は、ＵＥのパフォーマンスを維持するためおよび／またはＵＥが対応する要件を満たすことができることを確実にするために使用されてもよい。
【０１４９】
（適応の具体例）
【０１５０】
（ＳＣｅｌｌアクティブ化遅延）
【０１５１】
サブフレームｎでＳＣｅｌｌアクティブ化コマンドを受信すると、ＳＣｅｌｌが既知である場合、ＵＥはサブフレームｎ＋２４＋ｍ以内にアクティブ化されるＳＣｅｌｌに対する有効なＣＳＩレポートを送信することができるべきであり、ｍはＳＲＳ切替および関連する送信の影響に依存する（例えば適応によって影響を回避できる場合はｍ＝０）。ＳＣｅｌｌが未知である場合、ＵＥはサブフレームｎ＋３４＋ｍ以内にアクティブ化されるＳＣｅｌｌに対する有効なＣＳＩレポートを送信することができるべきである。
【０１５２】
（複数のＤＬ  ＳＣｅｌｌのＳＣｅｌｌアクティブ化遅延）
【０１５３】
いずれかの他のＳＣｅｌｌがＵＥによってアクティブ化、非アクティブ化、設定または設定解除された場合、ＵＥは次に以下の表現に従ってＳＣｅｌｌアクティブ化遅延の要件（Ｔａｃｔｉｖａｔｅ＿ｔｏｔａｌ）を満たすべきである。
2019537361.tif 000004
【０１５４】
ここで、
【０１５５】
Ｔactivulate_totalはＳＣｅｌｌをアクティブ化する合計時間であり、サブフレームで表現され、
【０１５６】
Ｔactivate_basicはＳＲＳ切替および関連する送信への影響に依存しうる、１つのセルに対するＳＣｅｌｌアクティブ化遅延であり、
【０１５７】
Ｋi（０≦Ｋi≦［３］＋ｋ）は、ＳＣｅｌｌがアクティブ化されている間に、他のｉ番目のＳＣｅｌｌがアクティブ化、非アクティブ化、設定または設定解除される回数であり、ここでｋはＳＲＳ切替では０であってもなくてもよく（アクティブ化の機会を有することなく、ＳＲＳ切替に起因する追加のアクティブ化が許可される場合は０より大きく、そうではない場合は０であってもよい）、
【０１５８】
Ｎ（２≦Ｎ≦４）はＵＥによってサポートされるＳＣｅｌｌの最大数である。
【０１５９】
別の例では、
2019537361.tif 000005
【０１６０】
ここで、
【０１６１】
Ｓiは、ＳＣｅｌｌがアクティブ化されている間の、ＳＲＳ切替に関するセルｉに対するＳＲＳ切替の回数またはｉ番目のＳＣｅｌｌへおよび／またはＳＣｅｌｌからの切替が生じる回数である。
【０１６２】
ＭはＳＲＳ切替に含まれるＳＣｅｌｌの数である。
【０１６３】
別の例では、ＳＲＳ切替に起因する割り込みは、サブフレームｎ＋ｎ１（例えばｎ１＝５）の前に完全に回避される必要があり、サブフレームｎ＋ｎ２（例えばフレーム構造および二重モードによってｎ２＝９または１１）の後には発生しなくてもよい。
【０１６４】
（設定されたＰＵＣＣＨでのＳＣｅｌｌのアクティブ化）
【０１６５】
ＵＥがＳＣｅｌｌでの送信のための有効なＴＡを有している場合、ＵＥはサブフレームｎ＋Ｔactivate_basic内に有効なＣＳＩレポートを送信し、ＳＣｅｌｌをアクティブ化することができるべきであり、ここでＴactivate_basicはＰＵＣＣＨなしのＳＣｅｌｌアクティブ化の遅延に対応する遅延であり、これはＳＲＳ切替の影響に依存しうる。
【０１６６】
ＵＥがＳＣｅｌｌ上での送信のための有効なＴＡを有していない場合、ＵＥはｎ＋Ｔdelay_PUCCH_SCell内にＳＣｅｌｌアクティブ化を完了することができるべきであり、ここで、
Ｔdelay_PUCCH_SCell＝ｆ０（Ｔactivate_basic，Ｔsrs0）＋ｆ１（Ｔ1，Ｔsrs1）＋ｆ２（Ｔ2，Ｔsrs2）＋ｆ３（Ｔ3，Ｔsrs3）
【０１６７】
ここで、
【０１６８】
Ｔ1はＰＵＣＣＨ  ＳＣｅｌｌにおける第１の利用可能なＰＲＡＣＨ機会を取得する際の遅延の不確かさである。Ｔ1は２５個までのサブフレームであり、Ｔ1の実際の値はＰＵＣＣＨ  ＳＣｅｌｌで使用されるＰＲＡＣＨ設定に依存するべきである。
【０１６９】
Ｔ2はＰＵＣＣＨで設定されたＳＣｅｌｌが属するｓＴＡＧに対する有効なＴＡコマンドを取得するための遅延である。Ｔ2は１３個までのサブフレームである。
【０１７０】
Ｔ3はアップリンク送信のために受信されたＴＡを適用するための遅延である。Ｔ3は６個までのサブフレームである。
【０１７１】
Ｔsrs0、Ｔsrs1、Ｔsrs2、Ｔsrs3はＳＲＳ切替および関連するＳＲＳ送信に起因する付加的な遅延であり、これらの付加的な遅延は、影響が適応によって完全に回避されうる特別な場合においてはゼロであってもよい。
【０１７２】
（ＰＳＣｅｌｌ追加遅延）
【０１７３】
サブフレームｎでＰＳＣｅｌｌを受信する際、ＵＥはサブフレームｎ＋Ｔconfig_PSCell内にＰＳＣｅｌｌにＰＲＡＣＨプリアンブルを送信する能力があるべきであり、
【０１７４】
ここで、
【０１７５】
Ｔconfig_PSCell＝ｆ（Ｔactivation_time，ｕｎｃｅｒｔａｉｎｔｙＤｅｌａｙｓ，ａｄｄｉｔｉｏｎａｌＭａｒｇｉｎｓ）；
【０１７６】
Ｔactivation_timeはＰＳＣｅｌｌアクティブ化遅延であり、ＰＳＣｅｌｌが既知または未知であるかどうか、そして未知の場合は、第１のＮ回（例えばＮ＝１）の試行でうまく検出できるかどうかに依存してもよい。
【０１７７】
ｕｎｃｅｒｔａｉｎｔｙＤｅｌａｙｓは、例えば以下を含む。
−ＳＲＳ切替の影響（例えば割り込みの影響、または複数キャリアを介した同時ＵＬ送信の数もしくは送信電力の制限）に依存しうるＰＲＡＣＨプリアンブル送信における不確かさに起因する遅延、
−ＳＲＳ切替の影響（例えば取得の間の割り込みの影響など）に依存しうるＰＳＣｅｌｌにおける第１の利用可能なＰＲＡＣＨ機会を取得する不確かさに起因する遅延。
【０１７８】
（フレーム構造３のためのＳＣｅｌｌアクティブ化遅延）
【０１７９】
サブフレームｎにおいてＳＣｅｌｌアクティブ化コマンドを受信する際、ＵＥはサブフレームｎ＋Ｔactivate_basic_FS3内に有効なＣＳＩレポートを送信し、アクティブ化されるＳＣｅｌｌに対するアクティブ化コマンドに関連する動作を適用可能であるべきであり、
【０１８０】
Ｔactivate_basic_FS3＝ｇ（ＴDMTC_duration，Ｌ，Ｎsrs，Ｍｇ，ＴDMTC_periodicity）
【０１８１】
ここで、
【０１８２】
ＴDMTC_durationは６ｍｓのＤＭＴＣ遅延であり
【０１８３】
ＴDMTC_periodicityはＤＭＴＣの周期であり、
【０１８４】
ＭｇはＵＥ実装および不確かさを考慮した実装マージンである。特別な場合、Ｍｇは無視されるまたはゼロに設定されうる。
【０１８５】
ＮsrsはＳＣｅｌｌアクティブ化時間の間に生じるＳＣｅｌｌ切替動作の回数であり、
【０１８６】
ＬはＳＣｅｌｌアクティブ化時間の間にＵＥにおいて探索信号機会が利用できない回数である。
【０１８７】
ＳＣｅｌｌがＵＥに既知（例えば同期されている）場合、関数ｇ（．）の例は以下に与えられる。
【０１８８】
Ｔactivate_basic_FS3＝１６ｍｓ＋ＴDMTC_duration＋（Ｌ＋２＋Ｎsrs）＊ＴDMTC_periodicity
【０１８９】
ＳＣｅｌｌがＵＥに既知ではない（例えば同期されていない）場合、関数ｇ（．）の別の例は以下に与えられる。
【０１９０】
Ｔactivate_basic_FS3＝１６ｍｓ＋ＴDMTC_duration＋（Ｌ＋３＋Ｎsrs）＊ＴDMTC_periodicity
【０１９１】
ステップＳ１０８
【０１９２】
本ステップにおいて、ＵＥはＣＡ起動手順、ＳＲＳ切替手順の結果、もしくは他ノードへの適応の結果（例えば他のＵＥ，ネットワークノード、無線ネットワークノード、コアネットワークノード、測位ノードなど）を送信もしくは指示してもよく、または当該結果を１つ以上の動作タスクに対して使用してもよい。
【０１９３】
適応の結果、ＣＡアクティブ化手順の結果、またはＳＲＳ切替手順の結果は、適応を適用した後、または適応、ＣＡアクティブ化、もしくはＳＲＳ切替を特徴づけられた後に得られる任意の結果（例えば、測定結果、割り込み回数、測位の計算、リンク適応、電力制御、パフォーマンス特性、手順の成功／失敗、など）であってもよい。
【０１９４】
動作タスクの例は、以下を含む。
−適応がＵＥによって実行された／される／されるであろうということが他ノード（例えばネットワークノード）に通知すること
−特定のキャリア周波数、例えばＦ１、での測定への影響を避けるために適応が実行された／される／されるであろうということが他ノード（例えばネットワークノード）に通知すること
−測位、ＲＲＭ、ＭＤＴ、モビリティ、ＳＯＮ、リソース最適化
【０１９５】
図６はＵＥ１１０のようなＵＥにおいて実行されうる方法の他の実施形態を示す。図６に示す方法は、（例えば図５に関して）前述のステップおよびエレメントのいくかの再配置を含む。方法は以下を含んでもよい。
【０１９６】
ステップＳ２０２：キャリアアグリゲーション（ＣＡ）手順を実行する必要があることを判定すること。
【０１９７】
ステップＳ２０４：サウンディング参照信号（ＳＲＳ）切替手順を実行する必要があることを判定すること。
【０１９８】
ステップＳ２０６：ＵＥにＳＲＳ切替手順を実行することを可能にするために、ＣＡアクティブ化手順に関連付けられた遅延を延長すること。
【０１９９】
ステップＳ２０８：延長している遅延内にＣＡアクティブ化手順を実行すること。
【０２００】
当然ながら、上記のステップの１つ以上は同時に、および／または異なる順序で実行されてもよい。また、破線で示すステップは選択的であり、いくつかの実施形態では省略されてもよい。
【０２０１】
以下、ステップをより詳細に説明する。
【０２０２】
（ステップＳ２０２）
【０２０３】
本ステップにおいて、ＵＥはＣＡアクティブ化手順を実行する必要があることを判定する。上述したように、ＣＡアクティブ化手順は、１つ以上のＳＣｅｌｌのアクティブ化もしくは非アクティブ化、ＰＳＣｅｌｌの追加もしくは解放などを含んでもよい。いくつかの実施形態において、ＵＥは無線ネットワークノード（例えば無線ネットワークノード１３０）から、ＣＡアクティブ化手順を実行する命令またはコマンドを含むメッセージを受信する際に、ＣＡアクティブ化手順を実行する必要があることを判定してもよい。
【０２０４】
ＣＡアクティブ化手順がＳＣｅｌｌのアクティブ化またはＳＣｅｌｌの非アクティブ化である場合、無線ネットワークノードから受信するメッセージはメディアアクセス制御（ＭＡＣ）メッセージであってもよい。  いくつかの実施形態において、ＭＡＣメッセージは（ＣＡアクティブ化手順がＳＣｅｌｌのアクティブ化である場合）ＳＣｅｌｌアクティブ化コマンド、または（ＣＡアクティブ化手順がＳＣｅｌｌのアクティブ化である場合）ＳＣｅｌｌ非アクティブ化コマンドを含む制御エレメント（ＣＥ）を含んでもよい。
【０２０５】
ＣＡアクティブ化手順がＰＳＣｅｌｌの追加またはＰＳＣｅｌｌの解放である場合、無線ネットワークノードから受信するメッセージは無線リソース設定（ＲＲＣ）メッセージであってもよい。いくつかの実施形態において、ＲＲＣメッセージはｐＳＣｅｌｌＴｏＡｄｄＭｏｄフィールドを含んでもよい。
【０２０６】
（ステップＳ２０４）
【０２０７】
ステップＳ２０４において、ＵＥはＳＲＳ切替手順を実行する必要があることを判定する。いくつかの実施形態において、ＵＥは無線ネットワークノード（例えば無線ネットワークノード１３０）から要求を受信することでＳＲＳ切替手順を実行する必要性を判定してもよい。要求は、ダウンリンク制御情報メッセージによって搬送されるＳＲＳ要求であってもよい。いくつかの実施形態において、ＵＥは１つ以上の所定のイベント（例えばタイマの満了）の発生の際にＳＲＳ切替手順を実行する必要性を判定してもよい。
【０２０８】
（ステップＳ２０６）
【０２０９】
ステップ２０６において、ＵＥがＳＲＳ切替手順を実行することを可能にするために、ＵＥはＣＡアクティブ化手順に関連付けられた遅延を延長する。いくつかの実施形態において、ＵＥはＣＡアクティブ化手順を実行する必要性を判定した後、ＳＲＳ切替手順を実行する必要性を判定する際に、ＣＡアクティブ化手順に関連付けられた遅延を延長してもよい。言い換えると、いくつかの実施形態において、ＵＥは最初にＣＡアクティブ化手順を実行する必要性を判定し、続いてＳＲＳ切替手順を実行する必要性を判定し、そしてその後にのみＣＡアクティブ化手順に関連付けられた遅延を延長するように進む。
【０２１０】
ＣＡアクティブ化手順に関連付けられた遅延を延長することは、ＵＥがＳＲＳ切替手順を実行する（そして完了する）ために所与のＣＡアクティブ化手順に通常関連付けられた遅延を超えることを含んでもよい。通常、ＣＡアクティブ化手順は手順の完了のために、それらに関連した遅延を有する。例えば、３ＧＰＰ  ＴＳ３６．１３３  バージョン１４．１．０によれば、ＳＣｅｌｌアクティブ化手順に通常関連付けられた遅延はｎ＋２４サブフレーム（追加されるＳＣｅｌｌの識別子が既知の場合）またはｎ＋３４サブフレーム（追加されるＳＣｅｌｌの識別子が既知ではない場合）である。さらに、このような場合、ＣＡアクティブ化手順に関連付けられた遅延を延長することは、ＳＣｅｌｌの追加に通常関連付けられた遅延、すなわちｎ＋２４個のサブフレームまたはｎ＋３４個のサブフレームを超えてＵＥがＳＣｅｌｌの追加を実行するよう遅延を延長することを意味する。いくつかの実施形態において、上述したように、ＵＥは例えば通常の遅延を超えるｍ個のサブフレームなど、所定の時間量、遅延を延長してもよい。  いくつかの実施形態において、ＵＥはＳＲＳ切替手順の実行および完了の必要がある限り遅延を延長してもよい。
【０２１１】
（ステップＳ２０８）
【０２１２】
本ステップにおいて、ＵＥはＣＡアクティブ化手順を完了するために必要な動作を実行する。当然ながら、異なるＣＡアクティブ化手順は異なる動作を必要としうる。例えば、ＳＣｅｌｌをアクティブ化することは、ＳＣｅｌｌをアクティブ化すること、アクティブ化したＳＣｅｌｌで測定を実行すること、およびＣＳＩ報告を介して測定を報告することを含んでもよい。ＰＳＣｅｌｌの追加のために、ＵＥはＰＳＣｅｌｌでランダムアクセスを実行してもよい。
【０２１３】
図７は無線ネットワークノード１３０のようなネットワークノードにおいて実行されうる方法の実施形態を示す。方法は以下を含んでもよい。
【０２１４】
ステップＳ３００（いくつか、ただし必ずしも全てではない実施形態で）：ＵＥの動作をＳＲＳ切替およびＣＡアクティブ化に適応するためのＵＥの能力に関する情報を取得する。
【０２１５】
ステップＳ３０２：第１のキャリア周波数（Ｆ１）上の少なくとも第１のセル（セル１）に対してＣＡアクティブ化手順（例えばＳＣｅｌｌアクティブ化またはＰＳＣｅｌｌ追加）を実行する必要があってもよいと判定する。
【０２１６】
ステップＳ３０４：第２のキャリア周波数（Ｆ２）上で動作する少なくとも第２のセル（セル２）上での送信（例えばＳＲＳまたはＰＲＡＣＨ）のためのＳＲＳ切替手順を実行する必要があってもよいと判定する。
【０２１７】
ステップＳ３０６：ＵＥがＣＡアクティブ化手順およびＳＲＳ切替手順を実行する必要がある場合に、ＵＥ動作を制御すること。
【０２１８】
ステップＳ３０８（選択的）ＣＡアクティブ化手順、ＳＲＳ切替手順の結果または適応の結果を取得すること。
【０２１９】
ステップＳ３１０（選択的）１つ以上の動作タスクに取得した結果を使用すること、および／または他ノードに結果を送信すること。
【０２２０】
当然ながら、上記のステップの１つ以上は同時に、および／または異なる順序で実行されてもよい。また、破線で示すステップは選択的であり、いくつかの実施形態では省略されてもよい。
【０２２１】
以下、ステップをより詳細に説明する。
【０２２２】
（ステップＳ３００）
【０２２３】
ネットワークノードは、例えばＵＥまたは他ノードからメッセージを受信すること、ＵＥのふるまいをモニタリングすること、などに基づいて、ＵＥの能力を取得してもよい。
【０２２４】
ネットワークノードはそのような能力の要求を送信してもよい。
【０２２５】
（ステップＳ３０２）
【０２２６】
本ステップにおいて、ネットワークノードはキャリア周波数（Ｆ１）上の少なくとも第１のセル（セル１）に対してＣＡアクティブ化手順（例えばＳＣｅｌｌアクティブ化またはＰＳＣｅｌｌ追加）をＵＥが実行する必要があってもよいと判定してもよい。
【０２２７】
いくつかの実施形態において、判定することはさらに、ＣＡアクティブ化手順に関連付けられた遅延内にＵＥが有効な送信を送信する必要があり得ることを判定することを含んでもよい。
【０２２８】
いくつかの実施形態において、判定することはさらに、ＣＡアクティブ化手順に関連付けられた遅延内にＵＥが有効な送信を送信するためにＤＬにおいて信号／チャネルを受信する必要があり得ることを判定することを含んでもよい。
【０２２９】
判定する方法は、ＵＥについて上述したものと同様である。付加的に、判定することはＦ１でＵＥによってなんらかのデータ（例えばスケジューリング、負荷分散など）を送信および／または受信する必要性を判定することに基づいてもよい。
【０２３０】
（ステップＳ３０４）
【０２３１】
本ステップにおいて、ネットワークノードは、ＵＥが第２のキャリア周波数（Ｆ２）上で動作する少なくとも第２のセル（セル２）での送信（例えばＳＲＳまたはＰＲＡＣＨ）のためのＳＲＳ切替手順を実行する必要があってもよいと判定してもよい。
【０２３２】
判定することは、例えばＳＲＳ切替設定、取得したＵＥの能力もしくはＳＲＳ切替をサポートする能力、ＳＲＳ切替を実行するためにＵＥに送信される要求など、に基づいてもよい。
【０２３３】
（ステップＳ３０６）
【０２３４】
本ステップにおいて、ネットワークノードはＵＥがＣＡアクティブ化手順およびＳＲＳ切替手順を実行する必要がある場合に、ＵＥの動作を制御してもよい。
【０２３５】
いくつかの実施形態において、制御することは、ＣＡアクティブ化手順に関連付けられた遅延に関連付けられたパフォーマンス特性、要件、または目標を取得することをさらに含んでもよい。
【０２３６】
いくつかの実施形態において、制御することは、取得したパフォーマンス特性、要件、または目標に基づいて、ＣＡアクティブ化手順およびＳＲＳ切替設定もしくは手順のうちの少なくとも１つを適用させることをさらに含んでもよい。
【０２３７】
いくつかの実施形態において、制御することはＣＡアクティブ化および／またはＳＲＳ切替のためにＵＥの送信タイミングの取得を適応的に制御することをさらに含んでもよい。例えば、ＴＡコマンドの送信（例えばより早く送信するまたはＳＲＳ切替によって中断されないリソースで送信することなど）を適応させる。
【０２３８】
いくつかの実施形態において、制御することは、有効な測定レポートを送信できるようにＵＥによって受信されるべき無線信号／チャネルの送信設定を適応させることをさらに含んでもよい。例えば、ＳＲＳ切替に影響されないリソースで十分なリソースを確保する。
【０２３９】
制御することは、ＵＥにメッセージ、指示、パラメータ、設定、または要求を送信することをさらに含んでもよい。
【０２４０】
適応例は以下を含む。
−測定設定を適応させることおよび適応された測定設定をＵＥに送信すること、
−アップリンクおよび／またはダウンリンクで信号／チャネル／メッセージのスケジューリングを適応させること、
−ＵＥのＰＣｅｌｌ、ＰＳＣｅｌｌ、および／またはＳＣｅｌｌのキャリア周波数のセットを変更することまたは交換すること、
−例えばＳＲＳの周期性および／または帯域幅のＳＲＳ設定を適応させること。
【０２４１】
（ステップＳ３０８）
【０２４２】
本ステップにおいて、ネットワークノードは、ＣＡアクティブ化手順、ＳＲＳ切替手順の結果、または適応の結果を取得（例えばＵＥから受信、または測定に基づき判定）してもよい。
【０２４３】
（ステップＳ３１０）
【０２４４】
本ステップにおいて、ネットワークノードは１つ以上の運用タスク（測位、ＲＲＭ、ＭＤＴ、モビリティ、ＳＯＮ、リソースおよびスケジューリングの最適化）に取得した結果を使用してもよい、および／または他ノードに当該結果を送信してもよい。
【０２４５】
＜例示的な標準化の実施形態＞
【０２４６】
いくつかの実施形態において、３ＧＰＰ  ＴＳ  ３６．１３３  ｖ１４．１．０の以下の章は、上述した１つ以上の実施形態を可能にするための以下のように変更されてもよい。
【０２４７】
＝＝＝＝＝＝＜＜＜＜＜＜  ＴＳ  ３６．１３３  ＞＞＞＞＞  ＝＝＝＝＝＝
【０２４８】
７．７  Ｅ−ＵＴＲＡキャリアアグリゲーションのためのＳＣｅｌｌアクティブ化および非アクティブ化遅延
【０２４９】
７．７．１  序論
【０２５０】
本節はＵＥが時間内にＥ−ＵＴＲＡキャリアアグリゲーションにおいて、非アクティブ化済のＳＣｅｌｌをアクティブ化できる、またはアクティブ化済のＳＣｅｌｌを非アクティブ化できるべき遅延の要件を定義する。要件は、４つまでのダウンリンクＳＣｅｌｌで設定されたＵＥであって、Ｅ−ＵＴＲＡキャリアアグリゲーション能力を有するＵＥに適用可能である。
【０２５１】
［１７］で定義された同一のＭＡＣ制御エレメントで複数のダウンリンクＳＣｅｌｌがアクティブ化されるまたは非アクティブ化される場合、要件はＭＡＣ制御エレメント内のＳＣｅｌｌのそれぞれに適用されるべきである。
【０２５２】
７．７．２  非アクティブ化済のＳＣｅｌｌに対するＳＣｅｌｌアクティブ化遅延の要件
【０２５３】
本章の要件は１つのダウンリンクＳＣｅｌｌで設定されたＵＥに適用されるべきである。本章の要件はＥ−ＵＴＲＡ  ＦＤＤ、Ｅ−ＵＴＲＡ  ＴＤＤ、Ｅ−ＵＴＲＡ  ＴＤＤ−ＦＤＤのキャリアアグリゲーションに適用可能である。
【０２５４】
時間内にＵＥが非アクティブ化済のＳＣｅｌｌをアクティブ化できるべき遅延は特定の条件に依存する。
【０２５５】
サブフレームｎにおいて［１７］で規定されたＳＣｅｌｌアクティブ化コマンドを受信する際、以下の条件がＳＣｅｌｌに対して満たされるならば、ＵＥはサブフレームｎ＋２４内に有効なＣＳＩレポートを送信し、アクティブ化されるＳＣｅｌｌに対するアクティブ化コマンドに関連する動作を適用可能であるべきである。
−ＳＣｅｌｌアクティブ化コマンドの受信の前のｍａｘ（５  ｍｅａｓＣｙｃｌｅＳＣｅｌｌ，  ５  ＤＲＸ  サイクル）に等しい期間中、
−ＵＥはアクティブ化されるＳＣｅｌｌのための有効な測定レポートを送信し、
−アクティブ化されるＳＣｅｌｌは８．３．３．２章に規定されるセル特定条件に従い検出可能なままであり、
−アクティブ化されるＳＣｅｌｌは８．３．３．２章に規定されるセル特定条件に従いＳＣｅｌｌアクティブ化遅延中に検出可能なままである。
【０２５６】
さもなければ、サブフレームｎにおいて［１７］で規定されたＳＣｅｌｌアクティブ化コマンドを受信する際、１回目の試行でＳＣｅｌｌがうまく検出されうるならば、ＵＥはサブフレームｎ＋３４内に有効なＣＳＩレポートを送信し、アクティブ化されるＳＣｅｌｌに対するアクティブ化コマンドに関連する動作を適用可能であるべきである。
【０２５７】
上記で指定された最小要件に対応する遅延を超えてもＣＳＩ測定で受信された参照信号がない場合、ＵＥは参照信号を受信した後に次の利用可能なアップリンク報告リソースでアクティブ化済みのＳＣｅｌｌに対応する有効なＣＳＩを報告するべきである。
【０２５８】
ＳＲＳキャリアベースの切替がＳＣｅｌｌアクティブ化手順の間に生じた場合には、本節で指定されるＳＣｅｌｌアクティブ化遅延は延長されうる。
【０２５９】
サブフレームｎ＋２４もしくはｎ＋３４において有効なＣＳＩを報告するためのアップリンクリソースがない場合、またはサブフレームｎ＋２４もしくはｎ＋３４における有効なＣＳＩを報告するためのＳＲＳキャリアベースの切替によってアップリンク送信が中断される場合、ＵＥは対応する有効なＣＳＩを報告するための次の利用可能なアップリンクリソースを使用するべきである。
【０２６０】
有効なＣＳＩはＵＥの測定に基づき、ＣＱＩインデックス＝０（範囲外）を除いて［３］で指定された任意のＣＱＩ値に対応する。
−７．７章の条件はＳＣｅｌｌアクティブ化遅延全体で満たされ、
−［３］の７．２．３章で定義されたＣＱＩ報告の条件が満たされる。
【０２６１】
上述したＣＳＩ報告に加え、ＳＣｅｌｌがアクティブ化されると、ＵＥは対応する動作の最初の機会に、ＳＣｅｌｌに対して［１７］で指定されたアクティブ化コマンドに関連する他の動作を適用するべきである。
【０２６２】
７．８．２章で指定されたＰＣｅｌｌの中断は、ＰＣｅｌｌがＥ−ＵＴＲＡ  ＦＤＤに属する場合、サブフレームｎ＋５の前に発生せず、サブフレームｎ＋９の後にも発生しない。
【０２６３】
７．８．２章で指定されたＰＣｅｌｌの中断は、ＰＣｅｌｌがＥ−ＵＴＲＡ  ＴＤＤに属する場合、サブフレームｎ＋５の前に発生せず、サブフレームｎ＋１１の後にも発生しない。
【０２６４】
［３］の４．３章で指定されたサブフレームから開始し、ＵＥがＳＣｅｌｌアクティブ化を完了するまで、ＵＥはＳＣｅｌｌにＣＱＩを報告するための利用可能なアップリンクリソースを有している場合、ＵＥはＣＱＩインデックス＝０（範囲外）を報告すべきである。
【０２６５】
７．７．６  非アクティブ化済のＰＵＣＣＨのＳＣｅｌｌに対するＳＣｅｌｌアクティブ化遅延の要件
【０２６６】
本節の要件は、ＰＵＣＣＨがアクティブ化されているＳＣｅｌｌのために設定されている場合、１つのダウンリンクＳＣｅｌｌで設定されているＵＥに適用されるべきである。
【０２６７】
ＵＥがＳＣｅｌｌで送信するための有効なＴＡを有している場合、ＵＥは有効なＣＳＩレポートを送信でき、サブフレームｎ＋Ｔactivate_basicより早くにＰＵＣＣＨ  ＳＣｅｌｌでアクティブ化されるＳＣｅｌｌに対して［１７］で指定されたＳＣｅｌｌアクティブ化コマンドに関連する動作を適用することができるべきである。
【０２６８】
ここで、
−ＴＡはＰＵＣＣＨ  ＳＣｅｌｌを含むＴＡＧに関連付けられたＴｉｍｅＡｌｉｇｎｍｅｎｔＴｉｍｅｒ［２］が実行していれば、有効であるとみなされ、
−Ｔactivate_basicは７．７．２章で定義されるＳＣｅｌｌアクティブ化遅延である。
【０２６９】
ＵＥがＳＣｅｌｌ上での送信のための有効なＴＡを有していない場合、ＵＥはサブフレームｎ＋Ｔactivate_basicより早くにＰＵＣＣＨ  ＳＣｅｌｌでアクティブ化されているＳＣｅｌｌに対して、［１７］で指定されたＳＣｅｌｌアクティブ化コマンドに関するダウンリンク動作を実行する能力を有しているべきであり、サブフレームｎ＋Ｔdelay_PUCCH SCellより早くにＰＵＣＣＨ  ＳＣｅｌｌでアクティブ化されているＳＣｅｌｌに対して［１７］で指定されたＳＣｅｌｌアクティブ化コマンドに関するアップリンク動作を実行する能力を有しているべきであり、サブフレームｎ＋Ｔdelay_PUCCH SCellより早くにＰＵＣＣＨ  ＳＣｅｌｌ上でアクティブ化されているＳＣｅｌｌに対して有効なＣＳＩレポートを送信するべきであり、
Ｔdelay_PUCCH Scell＝Ｔactivate_basic＋Ｔ1＋Ｔ2＋Ｔ3
である。
【０２７０】
ここで、
−Ｔ1はＰＵＣＣＨ  ＳＣｅｌｌにおける第１の利用可能なＰＲＡＣＨ機会を取得する際の遅延の不確かさである。Ｔ1は２５サブフレームまでであり、Ｔ1の実際の値はＰＵＣＣＨ  ＳＣｅｌｌで使用されるＰＲＡＣＨ設定に依存するべきである。
−Ｔ2はＰＵＣＣＨで設定されたＳＣｅｌｌが属するｓＴＡＧに対する有効なＴＡコマンドを取得するための遅延である。Ｔ2は１３個までのサブフレームである。
−Ｔ3はアップリンク送信のために受信されたＴＡを適用するための遅延である。Ｔ3は６個までのサブフレームである。
【０２７１】
上述した遅延の要件（Ｔdelay_PUCCH SCell）は以下の条件で適用されるべきである。
−ＵＥはＴactivate_basic内にＰＵＣＣＨ  ＳＣｅｌｌでＲＡ手順を開始するためにＰＤＣＣＨを受信し、そうでなければ、ＳＣｅｌｌをアクティブ化するための追加の遅延が予想される。
−ＰＵＣＣＨ  ＳＣｅｌｌでのＲＡは、ＰＣｅｌｌでのＲＡによって中断されず、そうでなければ、ＳＣｅｌｌをアクティブ化するための追加の遅延が予想される。
−ＳＲＳキャリアベース切替がＳＣｅｌｌアクティブ化手順の間に発生しなければ、ＰＵＣＣＨ  ＳＣｅｌｌアクティブ化遅延（Ｔdelay_PUCCH SCell）が延長される。
【０２７２】
７．８．２章で指定されたＰＣｅｌｌでの中断は、項７．７．２の全ての適用可能な要件を満たすべきである。
【０２７３】
７．１４  Ｅ−ＵＴＲＡデュアルコネクティビティのためのＰＳＣｅｌｌ追加および解放遅延
【０２７４】
７．１４．１  序論
【０２７５】
本節はＵＥが時間内にＥ−ＵＴＲＡデュアルコネクティビティにおいてＰＳＣｅｌｌを設定できるべきである遅延の要件を定義する。要件はＥ−ＵＴＲＡデュアルコネクティビティが可能なＵＥに適用可能である。本章の要件はＥ−ＵＴＲＡ  ＦＤＤ、Ｅ−ＵＴＲＡ  ＴＤＤ、Ｅ−ＵＴＲＡ  ＴＤＤ−ＦＤＤのデュアルコネクティビティに適用されるべきである。
【０２７６】
７．１４．２  ＰＳＣｅｌｌ  追加遅延要件
【０２７７】
本節の要件はＰＣｅｌｌのみで設定されたＵＥに適用されるべきである。
【０２７８】
サブフレームｎでＰＳＣｅｌｌを受信する際、ＵＥはサブフレームｎ＋Ｔconfig_PSCell内にＰＳＣｅｌｌにＰＲＡＣＨプリアンブルを送信可能であるべきであり、
【０２７９】
ここで、
−Ｔconfig_PSCell＝２０ｍｓ＋Ｔactivation_time＋５０ｍｓ＋ＴPCell_DU＋ＴPSCell_DU
−Ｔactivation_timeはＰＳＣｅｌｌアクティブ化遅延である。  ＰＳＣｅｌｌが既知である場合、Ｔactivation_timeは２０ｍｓである。ＰＳＣｅｌｌが未知である場合、最初の試行でＰＳＣｅｌｌを正常に検出できる場合、Ｔactivation_timeは３０ｍｓである。
−ＴPCell_DUはＰＣｅｌｌ  ＰＲＡＣＨプリアンブル送信に起因する遅延の不確かさである。ＰＣｅｌｌ  ＰＲＡＣＨプリアンブル送信によってＰＳＣｅｌｌアクティブ化が中断される場合、ＴPCell_DUは２０ｍｓまでであり、そうでなければ０である。
−ＴPSCell_DUは、ＰＳＣｅｌｌにおける第１の利用可能なＰＲＡＣＨ機会を取得する際の遅延の不確かさである。ＴPSCell_DUは３０ｍｓまでである。
【０２８０】
以下の条件が満たされる場合、ＰＳＣｅｌｌは既知である。
−ＰＳＣｅｌｌ設定コマンドの受信前の最後の５秒間の間に、
−ＵＥは設定されているＰＳＣｅｌｌに対して有効な測定レポートを送信し、
−設定されるＰＳＣｅｌｌは８．８章に規定されるセル特定条件に従い検出可能なままであり、
−設定されるＰＳＣｅｌｌは８．８章に規定されるセル特定条件に従いＰＳＣｅｌｌ設定遅延中に検出可能なままである。
−そうでなければ、それは未知である。７．１２章で特定されるＰＣｅｌｌの中断はＲＲＣ再設定手順［２］の間のみで許可される。
【０２８１】
ＳＲＳキャリアベースの切替がＰＳＣｅｌｌ追加手順の間に生じた場合には、本節で指定されるＰＳＣｅｌｌ追加遅延は延長されうる。
【０２８２】
＝＝＝＝＝＝＜＜＜＜＜＜  ＴＳ  ３６．１３３  ＞＞＞＞＞  ＝＝＝＝＝＝
【０２８３】
図８は、特定の実施形態に従う、例示的なＵＥ１１０のブロック図である。ＵＥ１１０は送受信器１１２、プロセッサ１１４、およびメモリ１１６のうちの１つ以上を含む。いくつかの実施形態において、送受信器１１２は（例えば送信器（Ｔｘ）１１８、受信器（Ｒｘ）１２０およびアンテナ１２２を介して）無線ネットワークノード１３０に無線信号を送信し、そして無線信号を受信することを促進する。プロセッサ１１４は、ＵＥ１１０によって提供されるものとして上述した機能のうちのいくつかまたはすべてを提供するための命令を実行し、メモリ１１６は、プロセッサ１１４によって実行される命令を格納する。いくつかの実施形態において、プロセッサ１１４およびメモリ１１６は処理回路１２４を形成する。
【０２８４】
プロセッサ１１４は、命令を実行するためのハードウェアの任意の適した組み合わせを含み、上述したＵＥ１１０の機能のような、ＵＥ１１０の説明された機能のいくつかまたは全てを実行するためにデータを扱いうる。いくつかの実施形態では、プロセッサ１１４は、例えば、１つ以上のコンピュータ、１つ以上の中央処理装置（ＣＰＵ）、１つ以上のマイクロプロセッサ、１つ以上の特定用途向け集積回路（ＡＳＩＣ）、１つ以上のフィールド・プログラマブル・ゲート・アレイ（ＦＰＧＡ）、および／又は他の論理回路を含みうる。
【０２８５】
メモリ１１６は、一般的には、コンピュータプログラム、ソフトウェア、１以上の論理回路を含むアプリケーション、ルール、アルゴリズム、コード、テーブル等のような命令、および／またはプロセッサ１１４によって実行されることが可能な他の命令を格納するよう動作可能である。例示的なメモリ１１６は、コンピュータメモリ（例えばランダム・アクセス・メモリ（ＲＡＭ）または読込専用メモリ（ＲＯＭ））、大容量記憶媒体（例えばハードディスク）、取り外し可能な記憶媒体（例えばコンパクトディスク（ＣＤ）またはデジタル・ビデオ・ディスク（ＤＶＤ））、並びに／またはＵＥ１１０のプロセッサ１１４によって使用されうる情報、データ、および／もしくは命令を格納する、任意の他の揮発性または不揮発性、非一時的コンピュータ可読および／またはコンピュータが実行可能なメモリ機器を含む。
【０２８６】
ＵＥ１１０の他の実施形態は、（上述したソリューションをサポートするために必要な任意の機能を含む）上述した機能の何れかおよび／または付加的な機能を含む、ＵＥの機能の特定の態様の提供を担いうる、図８に示すコンポーネントを超える付加的なコンポーネントを含むことができる。単なる一例として、ＵＥ１１０は入力機器および回路、出力機器、並びにプロセッサの一部でありうる１つ以上の同期ユニットもしくは回路を含んでもよい。入力機器はＵＥ１１０にデータを入力するための機構を含む。例えば、入力機器はマイクロフォン、入力エレメント、ディスプレイなどの入力機構を含んでもよい。出力機器は音声、動画、および／またはハードコピーの形式でデータを出力するための機構を含んでもよい。例えば、出力機器はスピーカ、ディスプレイなどの出力機器を含んでもよい。
【０２８７】
図９は、特定の実施形態に従う、例示的な無線ネットワークノード１３０のブロック図である。無線ネットワークノード１３０は１以上の送受信器１３２、プロセッサ１３４、メモリ１３６、およびネットワークインタフェース１４６を含みうる。いくつかの実施形態において、送受信器１３２は（例えば送信器（Ｔｘ）１３８、受信器（Ｒｘ）１４０およびアンテナ１４２を介して）ＵＥ１１０に無線信号を送信し、そして無線信号を受信することを促進する。プロセッサ１３４は、無線ネットワークノード１３０によって提供されるものとして上述した機能のうちのいくつかまたはすべてを提供するための命令を実行し、メモリ１３６は、プロセッサ１３４によって実行される命令を格納する。いくつかの実施形態において、プロセッサ１３４およびメモリ１３６は処理回路１４４を形成する。ネットワークインタフェース１４６はゲートウェイ、スイッチ、ルータ、インターネット、電話回線網（ＰＳＴＮ）、コアネットワークノード、または無線ネットワークコントローラなどのような、バックエンドネットワークコンポーネントに信号を通信する。
【０２８８】
プロセッサ１３４は、命令を実行するためのハードウェアの任意の適した組み合わせを含み、上述した機能のような、無線ネットワークノード１３０の説明された機能のいくつかまたは全てを実行するためにデータを扱いうる。いくつかの実施形態では、プロセッサ１３４は、例えば、１つ以上のコンピュータ、１つ以上の中央処理装置（ＣＰＵ）、１つ以上のマイクロプロセッサ、１つ以上の特定用途向け集積回路（ＡＳＩＣ）、１つ以上のフィールド・プログラマブル・ゲート・アレイ（ＦＰＧＡ）、および／又は他の論理回路を含みうる。
【０２８９】
メモリ１３６は、一般的には、コンピュータプログラム、ソフトウェア、１以上の論理回路を含むアプリケーション、ルール、アルゴリズム、コード、テーブル等のような命令、および／またはプロセッサ１３４によって実行されることが可能な他の命令を格納するよう動作可能である。例示的なメモリ１３６は、コンピュータメモリ（例えばランダム・アクセス・メモリ（ＲＡＭ）またはリード・オンリー・メモリ（ＲＯＭ））、大容量記憶媒体（例えばハードディスク）、取り外し可能な記憶媒体（例えばコンパクトディスク（ＣＤ）またはデジタル・ビデオ・ディスク（ＤＶＤ））、および／または情報を格納する、任意の他の揮発性または不揮発性、非一時的コンピュータ可読および／またはコンピュータが実行可能なメモリ機器を含む。
【０２９０】
いくつかの実施形態では、ネットワークインタフェース１４６はプロセッサ１４６に通信可能に接続されており、無線ネットワークノード１３０への入力を受信し、無線ネットワークノード１３０からの出力を送信し、当該入力または出力またはその両方の適切な処理を実行し、他の機器と通信し、または前述の任意の組み合わせを実行可能な任意の適した機器を指しうる。ネットワークインタフェース１４６は、プロトコル変換およびデータ処理能力を備えた、ネットワークを通じて通信するための、適切なハードウェア（例えば、ポート、モデム、ネットワークインタフェースカードなど）およびソフトウェアを含みうる。
【０２９１】
無線ネットワークノード１３０の他の実施形態は、（上述したソリューションをサポートするために必要な任意の機能を含む）上述した機能の何れかおよび／または付加的な機能を含む、無線ネットワークノードの機能の特定の態様の提供を担いうる、図９に示すコンポーネントを超える付加的なコンポーネントを含むことができる。  様々な異なるタイプのネットワークノードは、同一の物理ハードウェアを有するが、異なる無線アクセス技術をサポートするよう（例えばプログラミングによって）構成されたコンポーネントを含んでもよく、異なる物理コンポーネントを部分的にまたは全体的に表してもよい。
【０２９２】
図８および９を参照して説明されたものと同様のプロセッサ、インタフェース、メモリは他のネットワークノード（例えばコアネットワークノード１５０）に含められてもよい。他のネットワークノードは（図８および９で記載された送受信器のような）無線インタフェースを選択的に含んでもよいし含まなくてもよい。
【０２９３】
図１０を参照して、いくつかの実施形態においてＵＥ１１０は、上述したＵＥの機能のうちの少なくともいくつかを実装するように構成された一連のモジュール１２８を備えてもよい。例えば、いくつかの実施形態において、ＵＥはキャリアアグリゲーション（ＣＡ）アクティブ化手順を実行する必要性を判定するよう構成された第１の判定モジュール、サウンディング参照信号（ＳＲＳ）切替手順を実行する必要性を判定するよう構成された第２の判定モジュール、ＵＥにＳＲＳ切替手順の実行を許可するためのＣＡアクティブ化手順に関連付けられた遅延を延長するよう構成された延長モジュール、そして延長した遅延内にＣＡアクティブ化手順を実行するよう構成された実行モジュールを有してもよい。
【０２９４】
様々なモジュールは、ハードウェアおよび／またはソフトウェア、例えば、図８に示されるＵＥ１１０のプロセッサ１１４、メモリ１１６、およびトランシーバ１１２の組み合わせとして実装され得ることが理解されよう。いくつかの実施形態はまた、追加のおよび／または任意選択の機能をサポートまたは実装するための追加のモジュールおよび／またはサブモジュールを含み得る。
【０２９５】
図１１を参照すると、いくつかの実施形態では、例えば無線ネットワークノード１３０でありうるネットワークノードは、上述のネットワークノードの機能の少なくともいくつかを実装するように構成された一連のモジュール１４８を含んでもよい。例えば、いくつかの実施形態において、ネットワークノードはＵＥがキャリアアグリゲーション（ＣＡ）アクティブ化手順を実行する必要があってもよいと判定するよう構成される第１の判定モジュール、ＵＥがＳＲＳ切替手順を実行する必要があってもよいと判定するよう設定される第２の判定モジュール、ＵＥがＣＡアクティブ化手順およびＳＲＳ切替手順を実行する必要がある場合にＵＥの動作を制御するよう構成される制御モジュールを有してもよい。
【０２９６】
様々なモジュールは、ハードウェアおよび／またはソフトウェア、例えば、図９に示される無線ネットワークノード１３０のプロセッサ１３４、メモリ１３６、およびトランシーバ１３２の組み合わせとして実装され得ることが理解されよう。いくつかの実施形態はまた、追加のおよび／または任意の機能をサポートまたは実装するための追加のモジュールおよび／またはサブモジュールを含み得る。
【０２９７】
いくつかの実施形態は、非一時的な機械可読媒体（コンピュータ可読媒体、プロセッサ可読媒体、または本明細書で実施されるコンピュータ可読プログラムコードを有するコンピュータ使用可能な媒体としても参照される）を備えるコンピュータプログラム製品として表されてもよい。機械可読媒体は、ディスケット、コンパクトディスク読取専用メモリ（ＣＤ−ＲＯＭ）、デジタル多用途ディスク読取専用メモリ（ＤＶＤ−ＲＯＭ）メモリ装置（揮発性または不揮発性）、または同様の記憶機構を含む磁気、光学、または電気記憶媒体を含む任意の適切な有体の媒体であり得る。機械可読媒体は、実行されると、記載された実施形態のうちの１つまたは複数に従う方法におけるステップをプロセッサに実行させる、命令、コード列、設定情報、または他のデータの様々なセットを含み得る。説明した実施形態を実施するのに必要な他の命令および動作も機械可読媒体に格納できることを当業者は理解するであろう。機械可読媒体から実行されるソフトウェアは、説明されたタスクを実行するために回路とインタフェースで接続することができる。
【０２９８】
上述の実施形態は例示のみを目的としている。当業者であれば、本明細書の範囲から逸脱することなく、特定の実施形態に対して改変、変更、および変形を加えることができる。
＜略語＞
【０２９９】
本説明は、以下の略語のうちの１つ以上を含み得る。
【０３００】
３ＧＰＰ  第三世代パートナーシッププロジェクト
【０３０１】
ＡＣＫ  肯定応答
【０３０２】
ＡＧＣ  自動利得制御
【０３０３】
ＡＰ  アクセスポイント
【０３０４】
ＢＳ  基地局
【０３０５】
ＢＳＣ  基地局コントローラ
【０３０６】
ＢＴＳ  ベース送受信局
【０３０７】
ＣＡ  キャリアアグリゲーション
【０３０８】
ＣＣ  コンポーネントキャリア
【０３０９】
ＣＧＩ  セルグローバル識別子
【０３１０】
ＣＱＩ  チャネル品質情報
【０３１１】
ＣＲＳ  セル固有の参照信号
【０３１２】
ＣＳＩ  チャネルステート情報
【０３１３】
ＤＡＳ  分散アンテナシステム
【０３１４】
ＤＣ  デュアルコネクティビティ
【０３１５】
ＤＣＩ  ダウンリンク制御情報
【０３１６】
ＤＬ  ダウンリンク
【０３１７】
ＤＲＸ  間欠受信
【０３１８】
ｅＮＢ  Ｅ−ＵＴＲＡＮ  ＮｏｄｅＢ  または発展型ＮｏｄｅＢ
【０３１９】
ｅＰＤＣＣＨ  拡張型物理ダウンリンク制御チャネル
【０３２０】
Ｅ−ＳＭＬＣ  発展型サービングモバイルロケーションセンター
【０３２１】
Ｅ−ＵＴＲＡ  発展型ＵＴＲＡ
【０３２２】
Ｅ−ＵＴＲＡＮ  発展型ＵＴＲＡＮ
【０３２３】
ＦＤＤ  周波数分割複信
【０３２４】
ＦＤＭ  周波数分割多重
【０３２５】
ＨＤ−ＦＤＤ  半二重ＦＤＤ
【０３２６】
ＬＢＴ  Ｌｉｓｔｅｎ−Ｂｅｆｏｒｅ−Ｔａｌｋ
【０３２７】
ＬＴＥ  ロングタームエボリューション
【０３２８】
ＭＡＣ  メディアアクセス制御
【０３２９】
ＭＤＴ  ドライブテストの最小化
【０３３０】
ＭｅＮＢ  マスタｅＮｏｄｅＢ
【０３３１】
ＭＩＢ  マスタ情報ブロック
【０３３２】
ＭＭＥ  モビリティマネジメントエンティティ
【０３３３】
ＭＰＤＣＣＨ  ＭＴＣ物理ダウンリンク制御チャネル
【０３３４】
ＭＳＣ  モバイル交換センタ
【０３３５】
ＭＳＲ  マルチスタンダード無線
【０３３６】
ＭＴＣ  マシンタイプ通信
【０３３７】
ＮＡＣＫ  否定応答
【０３３８】
ＮＰＢＣＨ  狭帯域物理ブロードキャストチャネル
【０３３９】
ＮＰＤＣＣＨ  狭帯域物理ダウンリンク制御チャネル
【０３４０】
ＮＲ  Ｎｅｗ  Ｒａｄｉｏ
【０３４１】
Ｏ＆Ｍ  運用および保守
【０３４２】
ＯＳＳ  オペレーション支援システム
【０３４３】
ＰＢＣＨ  物理ブロードキャストチャネル
【０３４４】
ＰＣＣ  プライマリコンポーネントキャリア
【０３４５】
ＰＣｅｌｌ  プライマリセル
【０３４６】
ＰＣＦＩＣＨ  物理制御フォーマットインジケータチャネル
【０３４７】
ＰＤＣＣＨ  物理ダウンリンク制御チャネル
【０３４８】
ＰＤＳＣＨ  物理ダウンリンク共有チャネル
【０３４９】
ＰＨＩＣＨ  物理ＨＡＲＱ指示チャネル
【０３５０】
ＰＲＡＣＨ  物理ランダムアクセスチャネル
【０３５１】
ＰＲＳ  測位参照信号
【０３５２】
ＰＳＣｅｌｌ  プライマリＳＣｅｌｌ
【０３５３】
ＰＳＳ  プライマリ同期信号
【０３５４】
ＰＵＣＣＨ  物理アップリンク制御チャネル
【０３５５】
ＰＵＳＣＨ  物理アップリンク共有チャネル
【０３５６】
ＲＡＣＨ  ランダムアクセスチャネル
【０３５７】
ＲＡＴ  無線アクセス技術
【０３５８】
ＲＬＭ  無線リンク管理
【０３５９】
ＲＲＣ  無線リソース制御
【０３６０】
ＲＲＨ  リモート無線ヘッド
【０３６１】
ＲＲＭ  無線リソース管理
【０３６２】
ＲＲＵ  リモート無線ユニット
【０３６３】
ＲＳＣＰ  受信信号符号電力
【０３６４】
ＲＳＲＰ  参照信号受信電力
【０３６５】
ＲＳＲＱ  参照信号受信品質
【０３６６】
ＲＳＳＩ  受信信号強度インジケータ
【０３６７】
ＲＳＴＤ  参照信号時間差
【０３６８】
ＳＣＣ  セカンダリコンポーネントキャリア
【０３６９】
ＳＣｅｌｌ  セカンダリセル
【０３７０】
ＳｅＮＢ  セカンダリｅＮｏｄｅＢ
【０３７１】
ＳＩＮＲ  信号対干渉雑音比
【０３７２】
ＳＮＲ  信号対雑音比
【０３７３】
ＳＯＮ  自己組織化ネットワーク
【０３７４】
ＳＲＳ  サウンディング参照信号
【０３７５】
ＳＳＳ  セカンダリ同期信号
【０３７６】
ＴＡ  タイミングアドバンス
【０３７７】
ＴＡＧ  タイミングアドバンスグループ
【０３７８】
ＴＤＤ  時分割複信
【０３７９】
ＴＴＩ  送信時間間隔
【０３８０】
ＵＥ  ユーザ装置
【０３８１】
ＵＬ  アップリンク
【０３８２】
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
【０３８３】
ＵｐＰＴＳ  アップリンクパイロット時間スロット
【０３８４】
ＵＴＲＡ  ユニバーサル地上無線アクセス
【０３８５】
ＵＴＲＡＮ  ユニバーサル地上無線アクセスネットワーク
【図１】
2019537361.tif 000006
【図２】
2019537361.tif 000007
【図３】
2019537361.tif 000008
【図４】
2019537361.tif 000009
【図５】
2019537361.tif 000010
【図６】
2019537361.tif 000011
【図７】
2019537361.tif 000012
【図８】
2019537361.tif 000013
【図９】
2019537361.tif 000014
【図１０】
2019537361.tif 000015
【図１１】
2019537361.tif 000016
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）の方法であって、
キャリアアグリゲーション（ＣＡ）アクティブ化手順を実行する必要性を判定することと、
サウンディング参照信号（ＳＲＳ）切替手順を実行する必要性を判定することと、
前記ＵＥに前記ＳＲＳ切替手順の実行を許可するために、前記ＣＡアクティブ化手順に関連付けられた遅延を延長することと、
前記延長した遅延内に前記ＣＡアクティブ化手順を実行することと、
を含むことを特徴とする方法。
【請求項２】
請求項１に記載の方法であって、ＣＡアクティブ化手順を実行する必要性を判定することは、無線ネットワークノードから、前記キャリアアグリゲーション（ＣＡ）アクティブ化手順を実行する命令を含むメッセージを受信することを含むことを特徴とする方法。
【請求項３】
請求項２に記載の方法であって、前記ＣＡアクティブ化手順はセカンダリセル（ＳＣｅｌｌ）のアクティブ化またはＳＣｅｌｌの非アクティブ化であることを特徴とする方法。
【請求項４】
請求項３に記載の方法であって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とする方法。
【請求項５】
請求項３に記載の方法であって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とする方法。
【請求項６】
請求項３または４に記載の方法であって、前記ＣＡアクティブ化手順がＳＣｅｌｌのアクティブ化である場合、前記延長した遅延内で前記ＣＡアクティブ化手順を実行することは、前記ＳＣｅｌｌをアクティブ化することと、チャネル状態情報（ＣＳＩ）レポートを前記無線ネットワークノードまたは他の無線ネットワークノードに送信することとを含むことを特徴とする方法。
【請求項７】
請求項３または５に記載の方法であって、前記ＣＡアクティブ化手順がＳＣｅｌｌの非アクティブ化である場合、前記延長した遅延内で前記ＣＡアクティブ化手順を実行することは、前記ＳＣｅｌｌを非アクティブ化することを含むことを特徴とする方法。
【請求項８】
請求項２に記載の方法であって、前記ＣＡアクティブ化手順はプライマリセカンダリセル（ＰＳＣｅｌｌ）の追加またはＰＳＣｅｌｌの解放であることを特徴とする方法。
【請求項９】
請求項８に記載の方法であって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とする方法。
【請求項１０】
請求項８に記載の方法であって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とする方法。
【請求項１１】
請求項８または９に記載の方法であって、前記ＣＡアクティブ化手順がＰＳＣｅｌｌの追加である場合、前記延長した遅延内で前記ＣＡアクティブ化手順を実行することは、前記ＰＳＣｅｌｌを設定することを含むことを特徴とする方法。
【請求項１２】
請求項８または１０に記載の方法であって、前記ＣＡアクティブ化手順がＰＳＣｅｌｌの解放である場合、前記延長した遅延内で前記ＣＡアクティブ化手順を実行することは、前記ＰＳＣｅｌｌを解放することを含むことを特徴とする方法。
【請求項１３】
請求項２から１２のいずれか１項に記載の方法であって、ＳＲＳ切替手順を実行する必要性を判定することは、前記無線ネットワークノードからまたは他の無線ネットワークノードからＳＲＳ要求メッセージを受信することを含むことを特徴とする方法。
【請求項１４】
ユーザ装置（ＵＥ）であって、
キャリアアグリゲーション（ＣＡ）アクティブ化手順を実行する必要性を判定し、
サウンディング参照信号（ＳＲＳ）切替手順を実行する必要性を判定し、
前記ＵＥに前記ＳＲＳ切替手順の実行を許可するために、前記ＣＡアクティブ化手順に関連付けられた遅延を延長し、
前記延長した遅延内に前記ＣＡアクティブ化手順を実行する、
よう動作可能であることを特徴とするＵＥ。
【請求項１５】
請求項１４に記載のＵＥであって、ＣＡアクティブ化手順を実行する必要性を判定する場合に、前記ＵＥは無線ネットワークノードから、前記キャリアアグリゲーション（ＣＡ）アクティブ化手順を実行する命令を含むメッセージを受信するよう動作可能であることを特徴とするＵＥ。
【請求項１６】
請求項１５に記載のＵＥであって、前記ＣＡアクティブ化手順はセカンダリセル（ＳＣｅｌｌ）のアクティブ化またはＳＣｅｌｌの非アクティブ化であることを特徴とするＵＥ。
【請求項１７】
請求項１６に記載のＵＥであって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とするＵＥ。
【請求項１８】
請求項１６に記載のＵＥであって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とするＵＥ。
【請求項１９】
請求項１６または１７に記載のＵＥであって、前記延長した遅延内で前記ＣＡアクティブ化手順を実行する場合、前記ＵＥは前記ＳＣｅｌｌをアクティブ化し、チャネル状態情報（ＣＳＩ）レポートを前記無線ネットワークノードまたは他の無線ネットワークノードに送信するように動作可能であることを特徴とするＵＥ。
【請求項２０】
請求項１６または１８に記載のＵＥであって、前記延長した遅延内で前記ＣＡアクティブ化手順を実行する場合、前記ＵＥは前記ＳＣｅｌｌを非アクティブ化するよう動作可能であることを特徴とするＵＥ。
【請求項２１】
請求項１５に記載のＵＥであって、前記ＣＡアクティブ化手順はプライマリセカンダリセル（ＰＳＣｅｌｌ）の追加またはＰＳＣｅｌｌの解放であることを特徴とするＵＥ。
【請求項２２】
請求項２１に記載のＵＥであって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするＵＥ。
【請求項２３】
請求項２１に記載のＵＥであって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするＵＥ。
【請求項２４】
請求項２１または２２に記載のＵＥであって、前記延長した遅延内で前記ＣＡアクティブ化手順を実行する場合、前記ＵＥは前記ＰＳＣｅｌｌを設定するよう動作可能であることを特徴とするＵＥ。
【請求項２５】
請求項２１または２３に記載のＵＥであって、前記延長した遅延内で前記ＣＡアクティブ化手順を実行する場合、前記ＵＥは前記ＰＳＣｅｌｌを解放するよう動作可能であることを特徴とするＵＥ。
【請求項２６】
請求項１５から２５のいずれか１項に記載のＵＥであって、ＳＲＳ切替手順を実行する必要性を判定する場合、前記ＵＥは前記無線ネットワークノードからまたは他の無線ネットワークノードからＳＲＳ要求メッセージを受信するよう動作可能であることを特徴とするＵＥ。
【請求項２７】
コンピュータ可読プログラムコードを含むコンピュータプログラムであって、前記コンピュータ可読プログラムコードは、
ＵＥがキャリアアグリゲーション（ＣＡ）アクティブ化手順を実行する必要性を判定するためのコンピュータ可読プログラムコードと、
ＵＥがサウンディング参照信号（ＳＲＳ）切替手順を実行する必要性を判定するためのコンピュータ可読プログラムコードと、
前記ＵＥに前記ＳＲＳ切替手順の実行を許可するために、前記ＣＡアクティブ化手順に関連付けられた遅延を延長するためのコンピュータ可読プログラムコードと、
前記延長した遅延内に前記ＣＡアクティブ化手順を実行するためのコンピュータ可読プログラムコードと、
を含むことを特徴とするコンピュータプログラム。
【請求項２８】
請求項２７に記載のコンピュータプログラムであって、キャリアアグリゲーション（ＣＡ）アクティブ化手順を実行する必要性を判定するための前記コンピュータ可読プログラムコードは、無線ネットワークノードから、前記キャリアアグリゲーション（ＣＡ）アクティブ化手順を実行する命令を含むメッセージを受信するためのコンピュータ可読プログラムコードを含むことを特徴とするコンピュータプログラム。
【請求項２９】
請求項２８に記載のコンピュータプログラムであって、前記ＣＡアクティブ化手順はセカンダリセル（ＳＣｅｌｌ）のアクティブ化またはＳＣｅｌｌの非アクティブ化であることを特徴とするコンピュータプログラム。
【請求項３０】
請求項２９に記載のコンピュータプログラムであって、前記ＣＡアクティブ化手順がＳＣｅｌｌのアクティブ化である場合、ＣＡアクティブ化手順を実行する命令を含む前記メッセージは、ＳＣｅｌｌアクティブ化コマンドを含むメディアアクセス制御（ＭＡＣ）制御エレメント（ＣＥ）であることを特徴とするコンピュータプログラム。
【請求項３１】
請求項２９に記載のコンピュータプログラムであって、前記ＣＡアクティブ化手順がＳＣｅｌｌの非アクティブ化である場合、ＣＡアクティブ化手順を実行する命令を含む前記メッセージは、ＳＣｅｌｌ非アクティブ化コマンドを含むメディアアクセス制御（ＭＡＣ）制御エレメント（ＣＥ）であることを特徴とするコンピュータプログラム。
【請求項３２】
請求項２９または３０に記載のコンピュータプログラムであって、前記延長した遅延内で前記ＣＡアクティブ化手順を実行するためのコンピュータ可読プログラムコードは、前記ＳＣｅｌｌをアクティブ化し、チャネル状態情報（ＣＳＩ）レポートを前記無線ネットワークノードまたは他の無線ネットワークノードに送信するためのコンピュータ可読プログラムコードを含むことを特徴とするコンピュータプログラム。
【請求項３３】
請求項２９または３１に記載のコンピュータプログラムであって、前記延長した遅延内で前記ＣＡアクティブ化手順を実行するためのコンピュータ可読プログラムコードは、前記ＳＣｅｌｌを非アクティブ化するためのコンピュータ可読プログラムコードを含むことを特徴とするコンピュータプログラム。
【請求項３４】
請求項２８に記載のコンピュータプログラムであって、前記ＣＡアクティブ化手順はプライマリセカンダリセル（ＰＳＣｅｌｌ）の追加またはＰＳＣｅｌｌの解放であることを特徴とするコンピュータプログラム。
【請求項３５】
請求項３４に記載のコンピュータプログラムであって、前記ＣＡアクティブ化手順がＰＳＣｅｌｌの追加である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするコンピュータプログラム。
【請求項３６】
請求項３４に記載のコンピュータプログラムであって、前記ＣＡアクティブ化手順がＰＳＣｅｌｌの開放である場合、ＣＡアクティブ化手順を実行する命令を含む前記メッセージは、ｐＳＣｅｌｌＴｏＡｄｄＭｏｄフィールドを含む無線リソース設定（ＲＲＣ）メッセージであることを特徴とするコンピュータプログラム。
【請求項３７】
請求項３４または３５に記載のコンピュータプログラムであって、前記延長した遅延内で前記ＣＡアクティブ化手順を実行するためのコンピュータ可読プログラムコードは、前記ＰＳＣｅｌｌを設定するためのコンピュータ可読プログラムコードを含むことを特徴とするコンピュータプログラム。
【請求項３８】
請求項３４または３６に記載のコンピュータプログラムであって、前記延長した遅延内で前記ＣＡアクティブ化手順を実行するためのコンピュータ可読プログラムコードは、前記ＰＳＣｅｌｌを解放するためのコンピュータ可読プログラムコードを含むことを特徴とするコンピュータプログラム。
【請求項３９】
請求項２８から３８のいずれか１項に記載のコンピュータプログラムであって、ＳＲＳ切替手順を実行する必要性を判定するためのコンピュータ可読プログラムコードは、前記無線ネットワークノードからまたは他の無線ネットワークノードからＳＲＳ要求メッセージを受信するためのコンピュータ可読プログラムコードを含むことを特徴とするコンピュータプログラム。
【国際調査報告】
2019537361.tif 000017
2019537361.tif 000018